(57)【要約】【課題】  壁面等との当接がなく、かつ、床面清掃性、壁際清掃性及び回転ブラシの安全性向上を両立させることができる、吸込具を用いた掃除機を得ること。【解決手段】  課題を解決するためには、掃除機において、清掃面から塵埃を吸込む吸込具を有し、この吸込具には、下面から側面に至る塵埃を吸込む吸込口が形成され、吸込口の側面側を開閉する吸込口カバーが取り付けられ、この吸込口カバーは、吸込具の側面が壁面や障害物に沿った時に開くように構成する。【選択図】図１
2014166207.tif 000002
【特許請求の範囲】
【請求項１】
清掃面から塵埃を吸込む吸込具を有し、
前記吸込具には、下面から側面に至る塵埃を吸込む吸込口が形成され、該吸込口の側面側を開閉する吸込口カバーが取り付けられ、
前記吸込口カバーは、前記吸込具の側面が壁面や障害物に沿った時に開くことを特徴とする掃除機。
【請求項２】
前記吸込口は、互いに直交するように配置された一対の開口であり、
前記吸込具の側面が壁面や障害物に沿った時、壁面や障害物に沿った側に取り付けられた前記吸込口カバー、又は、両方の吸込口カバーが開くことを特徴とする請求項１に記載の掃除機。
【請求項３】
前記吸込具は駆動輪を備え、該駆動輪により床面上を移動することを特徴とする請求項１又は請求項２のいずれかに記載の掃除機。
【請求項４】
前記駆動輪は、転動方向を側面に対して変更可能に構成されたことを特徴とする請求項３に記載の掃除機。
【請求項５】
前記吸込具は、前記吸込口が壁面に接触、又は、壁面に近接した状態を維持して、壁に沿って移動することを特徴とする請求項４に記載の掃除機。
【請求項６】
前記吸込具は、前記駆動輪の転動方向を側面に対して変更する時に、前記吸込口カバーが開くことを特徴とする請求項５に記載の掃除機。
【請求項７】
前記吸込具は、側方より近接する壁面や障害物を検知する近接センサーを備え、
前記近接センサーの検知信号に基づき、前記吸込口カバーの開閉を行うことを特徴とする請求項５及び請求項６に記載の掃除機。
【請求項８】
前記吸込具は、前記吸込口の内部に回転ブラシを備えたことを特徴とする請求項１乃至７に記載の掃除機。
【請求項９】
前記一対の吸込口は、一方が直行する角部まで開口することを特徴とする請求項２乃至８に記載の掃除機。
【請求項１０】
前記直行する可動部まで開口する吸込口の長手方向の延長上に、略鉛直回転する隅ブラシを備えたことを特徴とする請求項９に記載の掃除機。
【発明の詳細な説明】
【技術分野】
【０００１】
本発明は、キャニスター型掃除機や自走式掃除機に関する。
【背景技術】
【０００２】
従来から、電気掃除機の吸込具には壁際等の清掃が可能にしたものとして、塵埃を吸い込む吸込口が本体の下面から前面の少なくとも一部まで開口され、本体の前壁を構成するカバーが本体に上下方向に回動自在に取り付けられ、前端部分が壁面に当接した後、円弧状部分が連続的に壁面に当接しながらカバーが上方に回動し、壁面等と吸込口及び回転ブラシとの水平距離を近接させることができる吸込具を有する掃除機が提案されている（例えば、特許文献１参照）。
【０００３】
また、前記カバーをスムーズに回動させる工夫を加えたものとし、壁面等との当接部分に壁面等に当接して回動するローラーをカバーの長手方向にわたって形成した吸込具を有する掃除機が提案されている（例えば、特許文献２参照）。
【先行技術文献】
【特許文献】
【０００４】
【特許文献１】特許第４４９７７７０号公報
【特許文献２】特許第３９７０１５４号公報
【発明の概要】
【発明が解決しようとする課題】
【０００５】
しかしながら、従来の吸込具を用いた掃除機では、カバーが壁面等に当接し、その後連続的に壁面等に当接しながらカバーが上方に回動する際、家屋の壁や家具、電化製品等の面に傷（主に縦傷）を付けてしまうという課題がある。
また、カバーの壁面等との当接部にローラーを形成することで、カバーの回動はスムーズになり縦傷の問題は解消されるが、吸込具を壁面等に沿って（ローラーの軸方向）動かす際にはローラーは回動しないため、壁面等に傷（主に横傷）を付けてしまうという課題がある。
【０００６】
本発明は、上記のような課題を解決する為になされたもので、壁面等との当接がなく、かつ、床面清掃性、壁際清掃性及び回転ブラシの安全性向上を両立させることができる、吸込具を用いた掃除機を得ることを目的とする。
【課題を解決するための手段】
【０００７】
上記の課題を解決するためには、掃除機において、清掃面から塵埃を吸込む吸込具を有し、この吸込具には、下面から側面に至る塵埃を吸込む吸込口が形成され、吸込口の側面側を開閉する吸込口カバーが取り付けられ、この吸込口カバーは、吸込具の側面が壁面や障害物に沿った時に開くように構成する。
【発明の効果】
【０００８】
本発明によれば、吸込具の側面が壁面などに沿うと、吸込口カバーが上方に回動するよう構成したことで、吸込具と壁面の接触を防止し、壁面等を傷付けない吸込具を有する掃除機を得ることができる。
【図面の簡単な説明】
【０００９】
【図１】実施の形態１に係る自走式掃除機の下面図
【図２】実施の形態１に係る自走式掃除機の平面図
【図３】実施の形態１に係る自走式掃除機の斜視図１
【図４】実施の形態１に係る自走式掃除機の斜視図２
【図５】実施の形態１に係る自走式掃除機の斜視図３
【図６】実施の形態１に係る自走式掃除機の分解図。
【図７】実施の形態１に係る自走式掃除機の外かくを中心とした部分を示す斜視図
【図８】実施の形態１に係る自走式掃除機の切り板を中心とした部分を示す斜視図
【図９】実施の形態１に係る自走式掃除機の下外かくを中心とした部分を示す分解図１
【図１０】実施の形態１に係る自走式掃除機の下外かくを中心とした部分を示す分解図２
【図１１】実施の形態１に係る自走式掃除機の旋回台、下外かく及びころを示す分解図１
【図１２】実施の形態１に係る自走式掃除機の旋回台、下外かく及びころを示す分解図２
【図１３】実施の形態１に係る自走式掃除機の走行輪組立を示す分解図１
【図１４】実施の形態１に係る自走式掃除機の走行輪組立を示す分解図２
【図１５】実施の形態１に係る自走式掃除機の右走行輪駆動部を示す分解図１
【図１６】実施の形態１に係る自走式掃除機の右走行輪駆動部を示す分解図２
【図１７】実施の形態１に係る自走式掃除機の旋回台駆動部組立を示す分解図１
【図１８】実施の形態１に係る自走式掃除機の旋回台駆動部組立を示す分解図２
【図１９】実施の形態１に係る自走式掃除機の旋回台駆動部を示す分解図１
【図２０】実施の形態１に係る自走式掃除機の旋回台駆動部を示す分解図２
【図２１】実施の形態１に係る自走式掃除機の仕切り板を中心とした部分を示す分解図１
【図２２】実施の形態１に係る自走式掃除機の仕切り板を中心とした部分を示す分解図２
【図２３】実施の形態１に係る自走式掃除機の仕切り板を示す分解図１
【図２４】実施の形態１に係る自走式掃除機の仕切り板を示す分解図２
【図２５】実施の形態１に係る自走式掃除機の吸込具組立を示す分解図
【図２６】実施の形態１に係る自走式掃除機の回転ブラシ支持具を示す斜視図１
【図２７】実施の形態１に係る自走式掃除機の回転ブラシ支持具を示す斜視図２
【図２８】実施の形態１に係る自走式掃除機の右吸込口カバーを示す斜視図
【図２９】実施の形態１に係る自走式掃除機の右回転ブラシ駆動部を示す分解図
【図３０】実施の形態１に係る自走式掃除機の右回転ブラシ駆動部を示す分解図
【図３１】実施の形態１に係る自走式掃除機の回転ブラシ組立を示す分解図
【図３２】実施の形態１に係る自走式掃除機の回転ブラシ組立を示す断面図
【図３３】実施の形態１に係る自走式掃除機の集塵部組立を示す斜視図
【図３４】実施の形態１に係る自走式掃除機の上外かく及び集塵部カバーを示す分解図
【図３５】実施の形態１に係る自走式掃除機の上外かくを示す斜視図
【図３６】実施の形態１に係る自走式掃除機が通常走行中の上外かく及び仕切り板を取り除いた平面図。
【図３７】実施の形態１に係る自走式掃除機が通常走行から壁際走行へ切り替わる途中の上外かく及び仕切り板を取り除いた平面図。
【図３８】実施の形態１に係る自走式掃除機が右壁際走行中の上外かく及び仕切り板を取り除いた平面図
【図３９】実施の形態１に係る自走式掃除機の右壁際の走行状態を示す斜視図
【図４０】実施の形態１に係る自走式掃除機が壁面に向かって斜めに走行する状態を示す動作図１
【図４１】実施の形態１に係る自走式掃除機が壁面に向かって斜めに走行する状態を示す動作図２
【図４２】実施の形態１に係る自走式掃除機の右側面が壁面に近接している状態を示す動作図３
【図４３】実施の形態１に係る自走式掃除機の右側面が壁面に近接し、かつ、右壁際走行へ移行した状態を示す動作図４
【図４４】実施の形態１に係る自走式掃除機が、右回転ブラシ組立が壁面に接し、かつ、右壁際走行をしている状態を示す動作図５
【図４５】実施の形態１に係る自走式掃除機が後段から段差（敷居やじゅうたん等）に進入する状態を示す右側側面図
【図４６】実施の形態２に係る自走式掃除機の自在連結管を取り除いた吸込具組立を示す平面図
【図４７】実施の形態２に係る自走式掃除機の回転ブラシ支持具、及び、右吸込口カバー、左吸込口カバー駆動部を示す断面図
【図４８】実施の形態２に係る自走式掃除機の回転ブラシ支持具、及び、左吸込口カバー、左吸込口カバー駆動部を示す断面図
【発明を実施するための形態】
【００１０】
以下、本発明の吸込具及びその吸込具を搭載した自走式掃除機について、図面を用いて説明する。
なお、図面においては、同一部品、同一部位には同一の符号を付け、細かい構造、特に、歯車の歯形については適宜図示を省略し、重複する説明においては、適宜簡略化或いは省略している。
【００１１】
また、説明で用いる方向については、集塵部カバー７１側を上、走行輪１６３側を下、直角部２ｃ側を前、円弧部２ａ側を後、左右方向は、自走式掃除機１を上方から見た平面図である図２において、直角部２ｃを上にして見て、右側を右、左側を左とし、塵埃を吸い込む気流の方向については、左右の吸込口２８４ａ、２８４ｂ側を上流、送風機４３１側を下流とし、自走式掃除機１の走行方式については、直角部２ｃを先頭に走行する場合を通常走行、右側面２ｅ及び左側面２ｆを壁面に沿わして走行する場合を壁際走行とする。
【００１２】
本発明に示す自走式掃除機は、家屋の状況を把握するための複数のセンサーと、内蔵する種々の装置の状況を把握するための複数のセンサーと、それらセンサーが把握した情報と、あらかじめ記憶装置に書き込まれたプログラムに従いながら、種々の演算や命令を発する制御部と、その制御部が発する命令に従い動作する清掃面となる床面上を走行する働きを持つ走行輪及びその駆動部と、床面等の塵埃を吸い込む働きを持つ、送風機を気流発生源とする吸引機構と、電動機を駆動源とする回転ブラシかき出しとを併用した吸込具と、それら全ての装置の電力原である蓄電池と、吸い込んだ塵埃を溜め込む着脱可能な集塵部等を搭載したものである。
【００１３】
上記に加えて、本発明に示す自走式掃除機は、制御部が発する命令に従い動作する、外かく及び吸込具の方向と、走行方向とを切り替える働きを持つ旋回台及びその駆動部と、通常走行時には、床面清掃性及び回転ブラシ安全性（手の怪我等）の向上を目的に、塵埃を吸い込むための気流を下側に集中させると共に、回転ブラシの前側を覆い隠すために、吸込口の前側を閉塞し、壁際走行時には、床面と壁面が交わる部分、壁面同士が交わる部分の清掃性及び壁面傷付き防止性の向上を目的に、回転ブラシの前側、即ち、吸込口の前側を開放する、吸込口カバー及びその開閉機構を搭載したものである。
【００１４】
実施の形態１
図１〜図５を参照すると、本発明の実施の形態１に示す自走式掃除機１は、上述した左右の吸込口カバー３５１ａ、３５１ｂの開閉機構を、旋回台１３１の回動機構に連動するようにしたもので、自走式掃除機１の下面図である図１、自走式掃除機１の平面図である図２及び自走式掃除機１の斜視図である図３〜図５で示すように、種々の装置を組み込む筐体に相当する外かく２は、中心角度が略２７０°の円弧部２ａと、その円弧部２ａの両端から延長された２本の直線部２ｂと、その２本の直線部２ｂが交わる直角部２ｃとからなる「しずく形状」を成しており、円弧部２ａに連なる円弧面２ｄと、２本の直線部２ｂに連なる右側面２ｅ及び左側面２ｆとからなる柱状をしており、その外かく２は、下外かく１１及びその中央部の旋回台１３１と、中外かく４１と、上外かく５１及びその中央部の集塵部カバー７１とから構成されている。
【００１５】
また、図６〜図８を参照すると、自走式掃除機１の内部は、自走式掃除機１の分解図である図６、及び、下外かく１１を中心とした部分を示す斜視図である図７、仕切り板８１を中心とした部分を示す斜視図である図８で示すように、清掃面となる床面上の走行や、その走行方向を切り替える働きを持つ、旋回台１３１、下外かく１１、走行輪組立１６１、旋回台駆動部組立１６１等から構成される、下外かく１１を中心とした部分と、床面等の塵埃を、吸い込み、かき出し、集塵する働きを持つ、仕切り板８１、吸込具組立２８１、集塵部組立４５１、送風機４３１等から構成される、仕切り板８１を中心とした部分と、電源、制御及び表示、操作を行う基板類（図示せず）、蓄電池１２１等の電気的な部分に大きく分けられ、各種のセンサーは、その用途ごとに各所へ装着されている。
なお、左右の吸込口カバー３５１ａ、３５１ｂは、吸込具組立２８１に装着され、その開閉機構は、下外かく１１を中心とした部分と、仕切り板８１を中心とした部分との両者に係わり構成されている。
【００１６】
これ以降、清掃面となる床面上の走行や、その走行方向を切り替える働きを持つ、下外かく１１を中心とした部分を、下外かく１１を中心とした部分を示す分解図である図９〜図１０を主に用いながら、部品や部位及びそれらの組み立てや基本的な動作について説明して行く。
なお、説明は基本的に、組み立て順序に従いながら、部品や部位の説明、組み立てや基本的な動作の説明を繰り返しながら進め、説明が細部に及ぶ場合は、それに見合った図面を用いて説明する。
【００１７】
まず図１１〜図１２を用いて、旋回台１３１を説明する。
旋回台１３１は、旋回台１３１、下外かく１１及びころ１５１を示す分解図である図１１〜図１２で示すように、自走式掃除機１の下側中央部を構成すると共に、走行輪組立１６１を支持する働きを持つ、円形の盆状をしたもので、その旋回台１３１の周囲には、規則的に配置された、ころ１５１を回転可能に保持するための複数のころ保持部１３２と、それらころ保持部１３２同士をつなぐように、機械的強度を高めることを目的とした環状リブ１３３が形成されている。
【００１８】
また、旋回台１３１の内部には、左右一対からなる走行輪開口部隔壁１３５で囲われた、走行輪１６３を突出させるための走行輪開口部１３４が形成されており、その走行輪開口部１３４の後側には、走行輪支持具１８１を装着するときに用いる走行輪支持具用ねじボス１３６及び走行輪支持具板ばね受け部１３７と、走行輪支持具１８１及び走行輪駆動部支持軸２０７の左右端を受け止める走行輪支持具受け部１３８が形成されており、走行輪開口部１３４の前側には、旋回台脱落防止具２２１を装着するときに用いる旋回台脱落防止具用ねじボス１３９及び旋回台脱落防止具板ばね受け部１４０が形成されている。
【００１９】
更に、後側の環状リブ１３３の内側根元及び走行輪支持具用ねじボス１３６と走行輪支持具受け部１３８との間には、走行輪支持具１８１を装着するときに用いる複数の走行輪支持具係合穴１４１が形成されており、前側の環状リブ１３３の内側根元及び走行輪開口部隔壁１３５の後側根元には、旋回台脱落防止具２２１を装着するときに用いる複数の旋回台脱落防止具係合穴１４２が形成されている。
【００２０】
下外かく１１は、自走式掃除機１の下側周囲を構成すると共に、自走式掃除機１を構成する多くの装置や部品を支持する働きを持つ、略ドーナツ形の盆状をしたもので、その下外かく１１の後側から左右にかけての周囲、即ち、外かく２の輪郭に相当する部分には、機械的強度を高めることを目的とした円弧面２ｄが、下外かく１１の前側には、大きな切りかきからなる吸込具組立２８１を配置するための下外かく吸込具組立配置部１２が形成されており、内側から円弧面２ｄにかけては、床面からの高さが徐々に増加する、床面等からの出っ張りの乗り越え性を高めることを目的とした下外かく傾斜面１３が形成されている。
【００２１】
また、下外かく１１の中央部には、旋回台１３１を回動可能に装着するための旋回台装着部１４が、その旋回台装着部１４の周囲には、断面が逆Ｌ字形からなり、旋回台装着部１４に臨む２面がころ走路１６となっているころ軌道部１５が形成されており、ころ軌道部１５の右側には、集塵部ケース４５２に形成された塵埃溜め部４５６が納まる下外かく集塵部組立装着部１７が、ころ軌道部１５の左側には、蓄電池１２１が納まる下外かく蓄電池装着部１８が、左右略対称に形成されており、ころ軌道部１５の後側で、下外かく集塵部組立装着部１７と下外かく蓄電池装着部１８とに挟まれた範囲には、旋回台駆動部組立２４１を装着するときに用いる、旋回台駆動部用ねじボス１９や、旋回台駆動歯車支持具係合爪２０や、旋回台駆動歯車支持具受け部２１や、側面に旋回台駆動歯車支持具係合突起２３が形成された、略環状からなる旋回台駆動歯車隔壁２２が形成されている。
【００２２】
なお、左右略対称に形成された下外かく集塵部組立装着部１７及び下外かく蓄電池装着部１８の下側については、平坦面からなる持ち手部２８が形成されており、下外かく吸込具組立配置部１２の周囲及び下外かく集塵部組立装着部１７、下外かく蓄電池装着部１８の上側には、円弧面２ｄと連なる下外かく吸込具組立配置部隔壁２４及び下外かく集塵部組立装着部隔壁２５、下外かく蓄電池装着部隔壁２６が形成されており、下外かく吸込具組立配置部隔壁２４の上端部については、左右の吸込口カバー３５１ａ、３５１ｂを開閉させる機構に関係する左右一対からなるワイヤー溝２７が形成されている。
【００２３】
更に、下外かく集塵部組立装着部１７及び下外かく蓄電池装着部１８ところ軌道部１５との間には、旋回台１３１の回動量を規制するための左右一対からなる旋回台回動規制部２９が形成されており、その他、ころ軌道部１５の前側、即ち、下外かく吸込具組立配置部１２の範囲には、仕切り板８１を装着するときに用いる仕切り板用ねじボス３０が、下外かく傾斜面１３の左右には、上外かく５１や仕切り板８１を装着するときに用いる筒状からなる外かくねじ穴３１が形成されており、加えて、センサーの発光、受光部が下側を向くように形成された、段差検出センサー４７１を装着するときに用いる下外かく段差検出センサー装着部３２や、センサーの発光、受光部が後側を向くように形成された、後方近接センサー４７２を装着するときに用いる後方近接センサー装着部３３等が形成されている。
【００２４】
ころ１５１は、上述した旋回台１３１と下外かく１１との回動を滑らかにする働きを持つ、両端面に球状の突起が形成された円柱状をしたもので、旋回台１３１に形成されたころ保持部１３２と、下外かく１１に形成されたころ軌道部１５との間に、数回転可能に装着される。
尚、円柱状の曲面部分は上下方向に、球状の部分は周方向に対し作用するものである。
【００２５】
次に、図１３〜図１４を参照して走行輪組立１６１を説明する。
走行輪組立１６１は、走行輪組立１６１を示す分解図である図１３〜図１４で示すように、駆動原、変速機及び走行輪１６３が一体化された、左右一対からなる走行輪駆動部１６２ａ、１６２ｂと、その左右の走行輪駆動部１６２ａ、１６２ｂの支持、下外かく１１からの旋回台１３１の脱落防止及び旋回台１３１を回動させる機構の一部を構成する走行輪支持具１８１と、それらに関係する様々な部品とから構成されており、特に、左右の走行輪駆動部１６２ａ、１６２ｂ及び走行輪支持具１８１は、それぞれ多くの部品、部位から構成されている。
【００２６】
左右の走行輪駆動部１６２ａ、１６２ｂは、右走行輪駆動部１６２ａを示す分解図である図１５〜図１６で示すように、実際に床面上を走行する走行輪１６３と、その走行輪１６３の駆動源である走行輪電動機１６４と、その走行輪電動機１６４の回転数及びトルクを、走行に適した回転数及びトルクに変速するための多種の歯車（走行輪駆動小歯車１６５、走行輪被動歯車１６６、走行輪最終段歯車１６７）と、多種の走行輪被動歯車１６６を回転可能に支持するための走行輪歯車軸１６８と、走行輪最終段歯車１６７と走行輪１６３とをつなぐ走行輪動力伝達軸１６９と、その走行輪動力伝達軸１６９を回転可能に支持するための走行輪軸受１７０と、先に列記した歯車や軸及び軸受を納めると共に、左右の走行輪駆動部１６２ａ、１６２ｂの骨格をなす、２部品からなる左右の走行輪歯車室１７１ａ、１７１ｂとから構成されている。
【００２７】
なお、その左右の走行輪歯車室１７１ａ、１７１ｂの下側には、走行輪支持具１８１へ装着する際、走行輪駆動部支持軸２０７を通すための走行輪歯車室支持軸穴１７２が、左右の走行輪歯車室１７１ａ、１７１ｂの搭載時に内となる側には、走行輪駆動部ばね２０６の一端を支持する走行輪歯車室ばね受け部１７３が、左右の走行輪歯車室１７１ａ、１７１ｂの搭載時に外となる側には、走行輪位置センサー２０２の光路を遮蔽するための走行輪位置センサー遮蔽部１７４が形成されている。
【００２８】
走行輪支持具１８１は、左右対称からなる走行輪駆動部装着部１８２と、その走行輪駆動部装着部１８２同士をつなぐように形成された走行輪支持具旋回台脱落防止部１８６とに大きく分けられ、走行輪駆動部装着部１８２には、左右の走行輪歯車室１７１ａ、１７１ｂに形成された走行輪歯車室支持軸穴１７２に対応する、同軸上に一対で開口した、走行輪駆動部支持軸２０７を通すための走行輪支持具支持軸穴１８３と、旋回台１３１に形成された走行輪支持具用ねじボス１３６に対応する走行輪支持具ねじ穴１８４と、上述した走行輪位置センサー２０２を装着するための走行輪位置センサー装着部１８５が形成されている。
【００２９】
また、走行輪支持具旋回台脱落防止部１８６は、断面が略π字形からなる、下外かく１１に形成されたころ軌道部１５にならった円弧状で、この走行輪支持具旋回台脱落防止部１８６の外側には、旋回台駆動部２４２に装着された旋回台駆動歯車２４３に対応する、旋回台１３１を回動させる機構の一部であるセクタ歯車１８７が約９０°にわたり形成されており、走行輪支持具旋回台脱落防止部１８６の上側には、旋回台位置センサー遮蔽板２０３を装着するための、方形状の旋回台位置センサー遮蔽板装着部リブ１８８及び旋回台位置センサー遮蔽板軸穴１８９が形成されており、走行輪支持具旋回台脱落防止部１８６の内側には、走行輪駆動部ばね２０６の他端を支持する走行輪支持具ばね受け部１９０と、その走行輪支持具ばね受け部１９０から延長された位置に、旋回台１３１に形成された走行輪支持具板ばね受け部１３７に対応する走行輪支持具板ばね１９１が形成されている。
【００３０】
更に、走行輪駆動部装着部１８２の下側及び走行輪支持具旋回台脱落防止部１８６の旋回台１３１に形成された環状リブ１３３に臨む面には、旋回台１３１に形成された走行輪支持具係合穴１４１に対応する複数の走行輪支持具係合突起１９２が形成されている。
なお、走行輪支持具板ばね１９１及び走行輪支持具係合突起１９２の先端は、装着性を高めるために面取りされている。
【００３１】
ここで、図１３〜図１６を参照して、走行輪組立１６１の組み立てと、基本的な動作について説明する。
第一段階は、左右の走行輪駆動部１６２ａ、１６２ｂの組み立てで、まずは、走行輪軸受１７０及び走行輪歯車軸１６８を圧入し終えた、２部品からなる左右の走行輪歯車室１７１ａ、１７１ｂへ、走行輪駆動小歯車１６５を圧入し終えた走行輪電動機１６４と、走行輪回転センサー２０１をねじ４８１にて締結する。
次いで、走行輪動力伝達軸１６９を装着し終えた走行輪最終段歯車１６７及び多種の走行輪被動歯車１６６を、走行輪軸受１７０及び走行輪歯車軸１６８へ挿入し、次いで、左右の走行輪歯車室１７１ａ、１７１ｂの両者をねじ４８１にて締結する。
次いで、左右の走行輪歯車室１７１ａ、１７１ｂから突出した走行輪動力伝達軸１６９の端部へ走行輪１６３を装着することで完了する。
【００３２】
なお、反射形光学式センサーからなる走行輪回転センサー２０１は、走行輪１６３の回転数及び回転方向を検知、出力するもので、その検知対象は、最初の走行輪被動歯車１６６の側面であり、制御部は、その走行輪被動歯車１６６の回転状況の出力に従いながら、走行輪電動機１６４への電力供給量や極性変更に関する命令を発する。
この段階で、走行輪電動機１６４へ電力を供給すれば、走行輪１６３は回転し、更に、走行輪回転センサー２０１へ通電すれば、回転状況を出力する。
【００３３】
第二段階は、走行輪支持具１８１の組み立てで、まずは、走行輪位置センサー装着部１８５へ走行輪位置センサー２０２を装着する。
次いで、旋回台位置センサー遮蔽板軸穴１８９へ、旋回台位置センサー遮蔽板２０３に形成された旋回台位置センサー遮蔽板軸２０４を、ねじりコイルばねからなる旋回台位置センサー遮蔽板ばね２０５を介して挿入することで完了する。
この段階で、旋回台位置センサー遮蔽板２０３は走行輪支持具１８１に対し、旋回台位置センサー遮蔽板軸２０４と旋回台位置センサー遮蔽板ばね２０５との作用により、旋回台位置センサー遮蔽板軸穴１８９の軸心を中心に、回動可能となり、かつ、後側に付勢されることになる。
【００３４】
最後は、左右の走行輪駆動部１６２ａ、１６２ｂと走行輪支持具１８１との組み立てで、まずは、走行輪支持具１８１に形成された走行輪支持具支持軸穴１８３の間に、左右の走行輪歯車室１７１ａ、１７１ｂに形成された走行輪歯車室支持軸穴１７２を、左右の走行輪駆動部装着部１８２の間に、ねじりコイルばねからなる走行輪駆動部ばね２０６を配置し、それら支持軸穴１７２、１８３の軸心と、走行輪駆動部ばね２０６のコイル部の軸心を同軸上となるよう合わせ、それらに走行輪駆動部支持軸２０７を串刺しする要領で挿入する。
次いで、走行輪駆動部ばね２０６の腕の一端を走行輪歯車室ばね受け部１７３へ、腕の他端を走行輪支持具ばね受け部１９０へ引っ掛けることで完了する。
この段階で、左右の走行輪駆動部１６２ａ、１６２ｂは走行輪支持具１８１に対し、走行輪駆動部支持軸２０７と走行輪駆動部ばね２０６との作用により、走行輪支持具支持軸穴１８３の軸心を中心に、回動可能となり、かつ、下側に付勢されることになる。
【００３５】
なお、走行輪駆動部ばね２０６により生じる、走行輪１６３の接地点に作用する荷重は、自走式掃除機１の自重より小さく設定しているため、走行状態では、走行輪１６３の一部が自走式掃除機１から突出するだけだが、自走式掃除機１が持ち上げられた状態では、走行輪１６３の約半分が自走式掃除機１から飛び出す。
また、透過形光学式センサーからなる走行輪位置センサー２０２は、自走式掃除機１が持ち上げられた状態を検知、出力するもので、その検知対象は、左右の走行輪歯車室１７１ａ、１７１ｂに形成された走行輪位置センサー遮蔽部１７４であり、先に示した走行輪１６３が飛び出す時には、走行輪位置センサー遮蔽部１７４が走行輪位置センサー２０２の光路を遮蔽するので、制御部は、その遮蔽有無の出力に従いながら、走行輪電動機１６４への電力の供給又は停止に関する命令を発する。
【００３６】
ここで図９〜図１０を参照すると、旋回台脱落防止具２２１は、走行輪開口部１３４からの塵埃の侵入防止及び下外かく１１からの旋回台１３１の脱落防止と共に、左右の吸込口カバー３５１ａ、３５１ｂを開閉させる機構の一部を構成する働きを持つもので、左右対称からなる駆動輪カバー部２２２と、その駆動輪カバー部２２２同士をつなぐように形成された旋回台脱落防止部２２５とに大きく分けられ、駆動輪カバー部２２２には、旋回台１３１に形成された走行輪開口部隔壁１３５に対応する駆動輪カバー下側開口部２２３と、左右の走行輪駆動部１６２ａ、１６２ｂが配置される駆動輪カバー後側開口部２２４が形成されている。
【００３７】
また、旋回台脱落防止部２２５は、断面が略横Ｔ字形からなる、下外かく１１に形成されたころ軌道部１５にならった円弧状で、その旋回台脱落防止部２２５の内側には、旋回台１３１に形成された旋回台脱落防止具用ねじボス１３９及び旋回台脱落防止具板ばね受け部１４０に対応する、旋回台脱落防止具ねじ穴２２７が開口した旋回台脱落防止具板ばね２２６が形成されており、旋回台脱落防止部２２５の上側中央部には、左右の吸込口カバー３５１ａ、３５１ｂを開閉させる機構の一部であるワイヤー掛け具突起受け部２２８が形成されている。
【００３８】
更に、駆動輪カバー部２２２の後側及び旋回台脱落防止部２２５の旋回台１３１に形成された環状リブ１３３に臨む面には、旋回台１３１に形成された旋回台脱落防止具係合穴１４２に対応する複数の旋回台脱落防止具係合突起２２９が形成されている。
なお、旋回台脱落防止具板ばね２２６及び旋回台脱落防止具係合突起２２９の先端は、装着性を高めるために面取りされている。
【００３９】
次に、図１７〜図２０を参照して旋回台駆動部組立２４１を説明する。
旋回台駆動部組立２４１は、旋回台駆動部組立２４１を示す分解図である図１７〜図１８で示すように、駆動原、変速機及び旋回台駆動歯車２４３が一体化された旋回台駆動部２４２と、旋回台駆動歯車２４３及び旋回台位置センサー２７１を支持する旋回台駆動歯車支持具２６１と、それらに関係する様々な部品とから構成されており、特に、旋回台駆動部２４２及び旋回台駆動歯車支持具２６１は、それぞれ多くの部品、部位から構成されている。
【００４０】
図１９〜図２０を参照すると、旋回台駆動部２４２は、旋回台駆動部２４２を示す分解図である図１９〜図２０で示すように、走行輪支持具１８１に形成されたセクタ歯車１８７とかみ合う旋回台駆動歯車２４３と、その旋回台駆動歯車２４３の駆動源である旋回台電動機２４４と、その旋回台電動機２４４の回転数及びトルクを、旋回台１３１の回動に適した回転数及びトルクに変速するための多種の歯車（旋回台駆動小歯車２４５、旋回台被動歯車２４６、旋回台最終段歯車２４７）と、多種の旋回台被動歯車２４６を回転可能に支持するための旋回台歯車軸２４８と、旋回台最終段歯車２４７と旋回台駆動歯車２４３とをつなぐ旋回台駆動歯車動力伝達軸２４９と、その旋回台駆動歯車動力伝達軸２４９を回転可能に支持するための旋回台軸受２５０と、先に列記した歯車や軸及び軸受を納める、２部品からなる旋回台歯車室２５１とから構成されている。
なお、その旋回台歯車室２５１の両端部には、下外かく１１に形成された旋回台駆動部用ねじボス１９に対応する旋回台駆動部ねじ穴２５２が形成されている。
【００４１】
旋回台駆動歯車支持具２６１は、走行輪支持具１８１に形成されたセクタ歯車１８７より一回り大きい円弧からなる旋回台駆動歯車支持具円弧部２６２が主体で、その旋回台駆動歯車支持具円弧部２６２の中程には、旋回台軸受２５０を装着するための旋回台軸受装着部２６３が形成されており、その旋回台軸受装着部２６３の下側には、下外かく１１に形成された旋回台駆動歯車支持具係合突起２３に対応する旋回台駆動歯車支持具係合穴２６４が、旋回台軸受装着部２６３の後側には、下外かく１１に装着された後方近接センサー４７２の上側を押さえ込むための旋回台駆動歯車支持具後方近接センサー押え部２６５が形成されている。
【００４２】
また旋回台軸受装着部２６３の右側及び旋回台駆動歯車支持具円弧部２６２の両端には、約４５°間隔で３箇所の旋回台位置センサー装着部２６６が形成されている。
なお、搭載時には、旋回台軸受装着部２６３が中央部に配置されるので、旋回台駆動歯車支持具２６１は全体的に右側にずれて装着され、下外かく集塵部組立装着部１７と下外かく蓄電池装着部１８とに挟まれた範囲に丁度納まる。
【００４３】
ここで、旋回台駆動部組立２４１の組み立てと、基本的な動作について説明する。
第一段階は、旋回台駆動部２４２の組み立てで、まずは、旋回台軸受２５０及び旋回台歯車軸２４８を圧入し終えた、２部品からなる旋回台歯車室２５１へ、旋回台駆動小歯車２４５を圧入し終えた旋回台電動機２４４をねじ４８１にて締結する。
次いで、旋回台駆動歯車動力伝達軸２４９を装着し終えた旋回台最終段歯車２４７及び多種の旋回台被動歯車２４６を、旋回台軸受２５０及び旋回台歯車軸２４８へ挿入し、次いで、旋回台歯車室２５１の両者をねじ４８１にて締結することで完了する。
【００４４】
第二段階は、旋回台駆動歯車支持具２６１の組み立てで、まずは、旋回台軸受装着部２６３へ旋回台軸受２５０を圧入し、次いで、３箇所の旋回台位置センサー装着部２６６へ旋回台位置センサー２７１を装着することで完了する。
【００４５】
最後は、旋回台駆動部２４２と旋回台駆動歯車支持具２６１との組み立てで、まずは、旋回台駆動部２４２から突出した旋回台駆動歯車動力伝達軸２４９を、旋回台駆動歯車支持具２６１に形成された旋回台軸受装着部２６３へ挿入し、次いで、旋回台駆動歯車動力伝達軸２４９の端部へ旋回台駆動歯車２４３を装着することで完了する。
この段階で、旋回台電動機２４４へ電力を供給すれば、旋回台駆動歯車２４３は回転する。
なお、旋回台位置センサー２７１については、下外かくを中心とした部分の組み立てのところで説明する。
【００４６】
ここで、図１〜図２０を参照して、下外かく１１を中心とした部分の組み立てと、基本的な動作について、今まで説明してきた内容に基づき説明する。
第一段階は、旋回台１３１、下外かく１１及びころ１５１の組み立てで、旋回台１３１に形成された複数のころ保持部１３２へ、円柱状の曲面部分が上下となるようにころ１５１を装着し、その状態のものを、下外かく１１に形成された旋回台装着部１４へ下方から挿入することで完了する。
この段階では、まだ上下方向が不安定だが、旋回台１３１は下外かく１１に対し滑らかに回動可能となる。
【００４７】
第二段階は、前記第一段階の部分と走行輪組立１６１及び旋回台脱落防止具２２１との組み立てで、まずは、旋回台１３１に形成された走行輪支持具係合穴１４１と、走行輪支持具１８１に形成された走行輪支持具係合突起１９２との位置を合わせ、旋回台１３１に形成された走行輪支持具板ばね受け部１３７を、走行輪支持具１８１に形成された走行輪支持具板ばね１９１が、乗り越え終わるまで走行輪組立１６１を後方へずらす。
次いで、旋回台１３１に形成された旋回台脱落防止具係合穴１４２と、旋回台脱落防止具２２１に形成された旋回台脱落防止具係合突起２２９との位置を合わせ、旋回台１３１に形成された旋回台脱落防止具板ばね受け部１４０を、旋回台脱落防止具２２１に形成された旋回台脱落防止具板ばね２２６が、乗り越え終わるまで旋回台脱落防止具２２１を前方へずらす。
これにより、それぞれの板ばね受け部１３７、１４０が、それぞれの板ばね１９１、２２６の戻りを規制するので、係合穴１４１、１４２と係合突起１９２、２２９との係合状態は維持され、次いで、走行輪支持具１８１に形成された走行輪支持具ねじ穴１８４及び旋回台脱落防止具２２１に形成された旋回台脱落防止具ねじ穴２２７を、ねじ４８１にて締結することで完了する。
【００４８】
この段階で、旋回台１３１に形成された走行輪支持具受け部１３８が、串刺し挿入のみであった走行輪駆動部支持軸２０７の両端を受け止めるので、走行輪駆動部支持軸２０７のずれや外れは防止され、旋回台１３１に形成された走行輪開口部隔壁１３５と、旋回台脱落防止具２２１に形成された駆動輪カバー下側開口部２２３は当接し、左右の走行輪駆動部１６２ａ、１６２ｂが、駆動輪カバー後側開口部２２４へ入り込むので、動作に必要な隙間以外は覆い隠され、走行輪開口部１３４からの塵埃の侵入は軽減、防止される。
【００４９】
なお、前記第二段階の部分で、自走式掃除機１の自重を支えることになるので、特に、この部分を強固にしておく必要があり、左右の走行輪１６３が受ける自重に対する反力が、局所に集中して加わらぬよう、平滑化、分散させる策を講じることが重要となる。
従って、走行輪支持具１８１の変形を抑えるために、走行輪駆動部支持軸２０７を左右に分割せず一本化し串刺し状にしたり、旋回台１３１から下外かく１１へ伝わる力を分散させるために、ころ１５１を多数装着したりした。
また、逆に、自走式掃除機１が持ち上げられた場合、走行輪組立１６１を含む旋回台１３１には、下外かく１１から脱落する方向の力が働くので、旋回台１３１への走行輪支持具１８１及び旋回台脱落防止具２２１の装着も、ねじ４８１だけに頼らず、多数の係合穴１４１、１４２、係合突起１９２、２２９による係合を加えた。
【００５０】
最後は、前記第二段階の部分と旋回台駆動部組立２４１との組み立てで、まずは、下外かく１１に形成された下外かく段差検出センサー装着部３２及び後方近接センサー装着部３３へ、段差検出センサー４７１及び後方近接センサー４７２を装着する。
次いで、下外かく１１に形成された旋回台駆動部用ねじボス１９や旋回台駆動歯車隔壁２２と、旋回台駆動部２４２に形成された旋回台駆動部ねじ穴２５２や、旋回台駆動歯車支持具２６１に形成された旋回台軸受装着部２６３との位置を合わせ、走行輪支持具１８１に形成されたセクタ歯車１８７と、旋回台駆動歯車動力伝達軸２４９に装着された旋回台駆動歯車２４３とのかみ合わせや、走行輪支持具１８１に装着された旋回台位置センサー遮蔽板２０３と、旋回台駆動歯車支持具２６１に装着された旋回台位置センサー２７１との干渉に注意しながら、旋回台駆動部組立２４１を下方に降ろす。
【００５１】
これにより、旋回台駆動部用ねじボス１９へ旋回台駆動部ねじ穴２５２は挿入され、旋回台駆動歯車支持具係合突起２３と旋回台駆動歯車支持具係合穴２６４、旋回台駆動歯車支持具係合爪２０と旋回台駆動歯車支持具円弧部２６２とは係合され、かつ、後方近接センサー４７２の上側を、旋回台駆動歯車支持具後方近接センサー押え部２６５が押さえ込み、次いで、旋回台駆動部ねじ穴２５２を、ねじ４８１にて締結することで完了する。
この時点でのねじ４８１締結は、左側の旋回台駆動部ねじ穴２５２のみで、右側の旋回台駆動部ねじ穴２５２については、外かく２の組み立ての時に共締めされる。
【００５２】
なお、透過形光学式センサーからなる３個の旋回台位置センサー２７１は、旋回台１３１の下外かく１１に対する位置、即ち、通常走行状態、右壁際走行状態及び左壁際走行状態であるかを検知、出力するもので、その検知対象は、旋回台１３１と共に回動する旋回台位置センサー遮蔽板２０３であり、約４５°間隔で３箇所に装着された旋回台位置センサー２７１の、どこの旋回台位置センサー２７１の光路を遮蔽しているかで、制御部は、通常走行状態、右壁際走行状態及び左壁際走行状態であるかを判断すると共に、次はどの方向に回動させるべきか、旋回台電動機２４４への電力の極性変更又は停止に関する命令を発する。
また、走行輪支持具１８１の組み立てのところで、旋回台位置センサー遮蔽板２０３は回動可能で、かつ、後側に付勢されている旨説明したが、これは、回動途中で旋回台位置センサー遮蔽板２０３の先端が、旋回台電動機２４４や旋回台駆動歯車動力伝達軸２４９に触れた場合には、旋回台位置センサー遮蔽板２０３自身を逃がすようにしためで、自走式掃除機１の大きさを抑えることを目的に、この周辺の部品を密に配置したため講じた手段である。
【００５３】
この段階で、旋回台電動機２４４へ電力を供給すれば、旋回台駆動歯車２４３の回転をセクタ歯車１８７が受け、旋回台１３１は下外かく１１に対し回動し、更に、旋回台位置センサー２７１へ通電すれば、旋回台位置センサー遮蔽板２０３が旋回台位置センサー２７１を横切った状況を出力する。
加えて、使用者が故意に旋回台１３１を回動させた場合、扇形からなるセクタ歯車１８７と旋回台駆動歯車２４３とが、離れてしまうことが考えられるため、それを防止するために、下外かく１１に旋回台回動規制部２９を形成して、セクタ歯車１８７の端部を当接させるようにしている。
なお、段差検出センサー４７１及び後方近接センサー４７２については、最終の組み立てのところで説明する。
【００５４】
これ以降、床面等の塵埃を、吸い込み、かき出し、集塵する働きを持つ、仕切り板８１を中心とした部分を仕切り板８１を中心とした部分を示す分解図である図２１〜２４を主に用いながら、部品や部位及びそれらの組み立てや基本的な動作について説明して行く。
なお、今まで同様、説明は基本的に、組み立て順序に従いながら、部品や部位の説明、組み立てや基本的な動作の説明を繰り返しながら進め、説明が細部に及ぶ場合は、それに見合った図面を追加しながら進めて行く。
【００５５】
仕切り板８１は、自走式掃除機１の骨格に相当する働きを持つ、外かく２の外形にならったしずく形の、中央部が大きく窪んだ盆状をしたもので、その仕切り板８１の周囲には、機械的強度を高めることを目的とした周囲リブ８２が形成されており、仕切り板８１の先端と左右の直線部には、吸込具組立２８１を装着するときに用いる複数の吸込具組立装着穴８３が、その吸込具組立装着穴８３の並びには、左右一対からなる仕切り板回転ブラシ電動機隔壁８５で囲われた、吸込具組立２８１の上方への移動に伴い移動してくる回転ブラシ電動機３６３を納めるための回転ブラシ電動機開口部８４が、その回転ブラシ電動機開口部８４近傍の下側には、吸込具組立ばね４２３の一端を支持する左右一対からなる仕切り板吸込具組立ばね受け部８６が形成されており、吸込具組立装着穴８３の並びには、センサーの発光、受光部が外側を向くように形成された、左右の方向近接センサー４７３ａ、４７３ｂ及び左右の側面近接センサー４７４ａ、４７４ｂを装着するための複数のセンサー装着部８８も形成されている。
なお、先に示してきた部位の下側は、下外かく１１に形成された下外かく吸込具組立配置部１２に対応する、吸込具組立２８１が装着される空間からなる仕切り板吸込具組立配置部８７となっている。
【００５６】
また、仕切り板８１の中央部には、集塵部組立４５１の外形にならった周囲リブ８２と連なる仕切り板集塵部組立装着部隔壁９０で囲われた、集塵部組立４５１を装着するための仕切り板集塵部組立装着部８９が形成されており、その仕切り板集塵部組立装着部８９の前側には、自在連結管３４１を装着するときに用いる仕切り板自在連結管開口部９１が、その仕切り板自在連結管開口部９１の左右には、下外かく１１に形成された下外かく吸込具組立配置部隔壁２４に対応する仕切り板吸込具組立配置部隔壁９２が形成されており、仕切り板集塵部組立装着部８９の中央部には、集塵部組立４５１と送風機４３１とをつなぐ仕切り板通気口部９３が、その仕切り板通気口部９３の下側には、送風機４３１を装着するときに用いる送風機用ねじボス９４が形成されている。
なお、仕切り板集塵部組立装着部８９の右側は、集塵部ケース４５２に形成された塵埃溜め部４５６を納めるために切りかかれており、その部分の仕切り板集塵部組立装着部隔壁９０は、下外かく１１に形成された下外かく集塵部組立装着部隔壁２５と対応するよう下方まで延びている。
【００５７】
更に、仕切り板集塵部組立装着部８９の左側には、仕切り板集塵部カバー装着部隔壁９６に囲まれた中に、集塵部カバー７１を回動可能に装着するための一対からなる仕切り板集塵部カバー軸受９５が形成されており、その仕切り板集塵部カバー軸受９５の左側には、蓄電池１２１の外形にならった周囲リブ８２と連なる仕切り板蓄電池装着部隔壁９８で囲われた、蓄電池１２１を装着するための仕切り板蓄電池装着部９７が形成されており、仕切り板８１の後側には、切りかきからなる旋回台駆動部２４２が配置される旋回台駆動部配置部９９が、その旋回台駆動部配置部９９近傍の下側には、下外かく１１に装着された後方近接センサー４７２の上側を押さえ込むための仕切り板後方近接センサー押え部１００が形成されている。
なお、仕切り板蓄電池装着部隔壁９８は、下外かく１１に形成された下外かく蓄電池装着部隔壁２６と対応するよう下方まで延びている。
【００５８】
また、仕切り板８１の上側で、かつ、先に説明した部位以外の範囲は、形は不規則であるが、大きな面積を必要とする基板類（図示せず）を装着するための基板装着部１０１となっており、その基板装着部１０１には、下外かく１１に形成された仕切り板用ねじボス３０及び外かくねじ穴３１に対応する、仕切り板ねじ穴１０２及び仕切り板外かく用ねじ穴１０３が、基板類（図示せず）の面積に影響しないよう、筒状からなる仕切り板ねじ穴１０２については、基板装着部１０１の範囲内ではあるが下方に向け、仕切り板外かく用ねじ穴１０３については、極力外周に近い個所に形成されている。
【００５９】
次に、図２５を参照して、吸込具組立２８１を説明する。
吸込具組立２８１は、吸込具組立２８１を示す分解図である図２５で示すように、吸込具組立２８１の主体をなす回転ブラシ支持具２８２と、吸い込んだ塵埃を気流に乗せ搬送する経路の一部を構成する塵埃ダクト３３１及び自在連結管３４１と、駆動原及び変速機が一体化された、左右一対からなる回転ブラシ駆動部３６１ａ、３６１ｂと、長短一対からなる、床面清掃性、壁際清掃性及び左右の回転ブラシ組立３８１ａ、３８１ｂの安全性（手の怪我等）向上を両立させるために設けた、開閉式の左右の吸込口カバー３５１ａ、３５１ｂと、同じく、長短一対からなる、床面（特にじゅうたん）の塵埃をかき出す働きを持つ左右の回転ブラシ組立３８１ａ、３８１ｂと、それらに関係する様々な部品とから構成されており、それぞれ多くの部品、部位から構成されている。
【００６０】
図２６〜図２７に示すように、回転ブラシ支持具２８２は、中空で略蒲鉾形をした左右の回転ブラシ収容部２８３ａ、２８３ｂが、外かく２の２本の直線部２ｂにならう形で直交に配置され、その間を、後側端部が下外かく１１に形成されたころ軌道部１５にならった円弧状からなる底板３０１で結んだ略扇形をしたもので、その左右の回転ブラシ収容部２８３ａ、２８３ｂの下面から側面にかけては、床面等の塵埃を吸い込むための左右の吸込口２８４ａ、２８４ｂとなる開口が形成されており、その左右の吸込口２８４ａ、２８４ｂの後側には、左右の回転ブラシ組立３８１ａ、３８１ｂから、特に、繊維系の塵埃を回収するための複数のくし歯２８５が、そのくし歯２８５の後側には、上側に形成された塵埃ダクト装着部２９５と連通する塵埃吸込口２８６が、左右略対称に形成されている。
【００６１】
また、左右の回転ブラシ収容部２８３ａ、２８３ｂの外側端面には、左右の回転ブラシ駆動部３６１ａ、３６１ｂを装着するときに用いる、回転ブラシ駆動部装着部２８７及び回転ブラシ駆動部用ねじボス２８８が形成されており、その回転ブラシ駆動部装着部２８７の対面には、左右の吸込口カバー３５１ａ、３５１ｂの閉塞量を規制するための回転ブラシ支持具吸込口カバー規制部２８９及び吸込口カバーばね４２２の一端を支持する回転ブラシ支持具吸込口カバーばね受け部２９０が形成されており、その面の中央部には、左右の回転ブラシ歯車室３７０ａ、３７０ｂに形成された回転ブラシ動力伝達軸スリーブ３７１が挿入される回転ブラシ動力伝達軸穴２９１が、回転ブラシ支持具吸込口カバーばね受け部２９０の近傍には、左右の吸込口カバー３５１ａ、３５１ｂを開放させる機構に関係するワイヤー穴２９２が開口している。
加えて、左右の回転ブラシ収容部２８３ａ、２８３ｂの中央部端面には、左右の吸込口カバー３５１ａ、３５１ｂを装着するときに用いるリング状からなる吸込口カバー装着部２９３ａ、２９３ｂが形成されており、その内、左吸込口カバー装着部２９３ｂについては、隅用回転ブラシ４０１を装着するときに用いる隅用回転ブラシ穴２９４が開口している。
【００６２】
更に、左右の回転ブラシ収容部２８３ａ、２８３ｂの上側には、塵埃ダクト装着部隔壁２９６で囲われた塵埃ダクト装着部２９５が、その塵埃ダクト装着部２９５の周囲には、塵埃ダクト３３１を装着するときに用いる複数の塵埃ダクト用ねじボス２９７が形成されており、塵埃ダクト装着部２９５の内側で、左右の回転ブラシ収容部２８３ａ、２８３ｂが交わる部分には、回転ブラシ固定具３２１を装着するための回転ブラシ固定具支持軸２９８が形成されている。
加えて、左右の回転ブラシ収容部２８３ａ、２８３ｂの上側の前側には、左右に連なる回転ブラシ支持具遮蔽壁２９９が、その回転ブラシ支持具遮蔽壁２９９の後側には、仕切り板８１に形成された吸込具組立装着穴８３に対応する、複数の長尺の吸込具組立装着ボス３００が形成されている。
【００６３】
底板３０１の左右の塵埃吸込口２８６の下側には、固定植毛４２１を装着するための固定植毛装着部３０２が形成されており、その固定植毛装着部３０２の間には、左右の回転ブラシ組立３８１ａ、３８１ｂに装着された左右の回転ブラシ軸受支持具３８７ａ、３８７ｂの回転ブラシ腕部３９０が装着される回転ブラシ腕部装着部３０３が、その回転ブラシ腕部装着部３０３の後側には、同じく、左右の回転ブラシ軸受支持具３８７ａ、３８７ｂの回転ブラシ持ち手部３８９が装着される回転ブラシ持ち手部装着部３０４が形成されており、それらの後側には、下外かく１１に形成されたものと同じ、回転ブラシ支持具段差検出センサー装着部３０５が形成されている。
【００６４】
回転ブラシ固定具３２１は、回転ブラシ支持具２８２に装着された左右の回転ブラシ組立３８１ａ、３８１ｂの、脱落を防止する働きを持つもので、回転ブラシ支持具２８２に形成された回転ブラシ固定具支持軸２９８に対応する、切り割りが形成された回転ブラシ固定具穴３２２と、回転ブラシ支持具２８２に形成された回転ブラシ持ち手部装着部３０４に係合させるための回転ブラシ固定具係合爪３２３と、その両者をつなぐ回転ブラシ固定具腕部３２４とから形成されており、その回転ブラシ固定具腕部３２４で、左右の回転ブラシ軸受支持具３８７ａ、３８７ｂに形成された、回転ブラシ腕部３９０及び回転ブラシ持ち手部３８９を、押さえ込むものである。
【００６５】
塵埃ダクト３３１は、中空で下側が開口したＬ字形をしたもので、その塵埃ダクト３３１の周囲には、回転ブラシ支持具２８２に形成された塵埃ダクト用ねじボス２９７に対応する複数の塵埃ダクトねじ穴３３２が、その塵埃ダクト３３１の中央部には、自在連結管３４１を装着するときに用いる、塵埃ダクト自在連結管開口部３３３が形成されている。
なお、塵埃ダクト３３１の左右から塵埃ダクト自在連結管開口部３３３にかけては、風路圧損を低減することを目的に、内壁の高さが徐々に増加する塵埃ダクト傾斜面３３４となっており、その塵埃ダクト傾斜面３３４には、吸込具組立ばね４２３の他端を支持する塵埃ダクト吸込具組立ばね受け部３３５が形成されている。
また、塵埃ダクト３３１の左右端には、回転ブラシ支持具２８２へ左右の回転ブラシ駆動部３６１ａ、３６１ｂを装着するときに用いる回転ブラシ歯車室係合爪３３６が形成されている。
【００６６】
自在連結管３４１は、吸込具組立２８１と集塵部組立４５１との間をつなぐ、両端に自在連結管接続口３４２が形成された、蛇腹状をした軟質素材からなる配管で、集塵部組立４５１側となる自在連結管接続口３４２の端部には、集塵部組立４５１の着脱性と、集塵部ケース４５２に形成された集塵部入口部４５３との気密性とを確保するために、シールリップ３４３が形成されている。
【００６７】
次に、図２８を参照して、吸込口カバーを説明する。
図２８は、長短一対からなる左右の吸込口カバー３５１ａ、３５１ｂを、右吸込口カバー３５１ａを示す斜視図である。
左右の吸込口カバー３５１ａ、３５１ｂは、短いほうが右側用、長いほうが左側用の、作りが同じ左右対称形で、その左右の吸込口カバー３５１ａ、３５１ｂには、左右の回転ブラシ収容部２８３ａ、２８３ｂの内側の円弧にならった吸込口カバー部３５２と、その吸込口カバー部３５２の両端面に、回転ブラシ支持具２８２に形成された吸込口カバー装着部２９３ａ、２９３ｂ及び、左右の回転ブラシ歯車室３７０ａ、３７０ｂに形成された回転ブラシ動力伝達軸スリーブ３７１に対応する、吸込口カバー装着穴３５３とが形成されている。
【００６８】
また、左右の吸込口カバー３５１ａ、３５１ｂの左右の回転ブラシ駆動部３６１ａ、３６１ｂ側となる端面には、回転ブラシ支持具２８２に形成された回転ブラシ支持具吸込口カバー規制部２８９に対応する吸込口カバー規制部３５４と、吸込口カバーばね４２２の他端を支持する吸込口カバーばね受け部３５５とが形成されており、その内の、吸込口カバー規制部３５４については、左右の吸込口カバー３５１ａ、３５１ｂを開放させるためのワイヤー４１１を掛ける、フックの働きも持っている。
【００６９】
次に図２９〜図３０を参照して、回転ブラシ駆動部を説明する。
左右の回転ブラシ駆動部３６１ａ、３６１ｂは、右回転ブラシ駆動部３６１ａを示す分解図である図２９〜図３０で示すように、左右の回転ブラシ組立３８１ａ、３８１ｂに装着された回転ブラシ継ぎ手３８４とかみ合う、複数の突起が形成された回転ブラシ駆動部継ぎ手３６２と、その回転ブラシ駆動部継ぎ手３６２の駆動源である回転ブラシ電動機３６３と、その回転ブラシ電動機３６３の回転数及びトルクを、左右の回転ブラシ組立３８１ａ、３８１ｂの回転に適した回転数及びトルクに変速するための多種の歯車（回転ブラシ駆動小歯車３６４、回転ブラシ被動歯車３６５、回転ブラシ最終段歯車３６６）と、多種の回転ブラシ被動歯車３６５を回転可能に支持するための回転ブラシ歯車軸３６７と、回転ブラシ最終段歯車３６６と回転ブラシ駆動部継ぎ手３６２とをつなぐ回転ブラシ動力伝達軸３６８と、その回転ブラシ動力伝達軸３６８を回転可能に支持するための回転ブラシ軸受３６９と、先に列記した歯車や軸及び軸受を納める、２部品からなる左右の回転ブラシ歯車室３７０ａ、３７０ｂとから構成されている。
【００７０】
なお、その左右の回転ブラシ歯車室３７０ａ、３７０ｂの搭載時に内となる側には、回転ブラシ支持具２８２へ装着するときの基準や、左右の吸込口カバー３５１ａ、３５１ｂの回動時の軸として用いる回転ブラシ動力伝達軸スリーブ３７１が、左右の回転ブラシ歯車室３７０ａ、３７０ｂの側面には、回転ブラシ支持具２８２に形成された回転ブラシ駆動部用ねじボス２８８に対応する回転ブラシ駆動部ねじ穴３７２が、回転ブラシ電動機３６３の近傍には、塵埃ダクト３３１に形成された回転ブラシ歯車室係合爪３３６に対応する回転ブラシ歯車室係合段差３７３が形成されている。
【００７１】
次に、図３１〜図３２を参照する。
長短一対からなる左右の回転ブラシ組立３８１ａ、３８１ｂを、左右の回転ブラシ組立３８１ａ、３８１ｂを示す分解図である図３１、及び、左右の回転ブラシ組立３８１ａ、３８１ｂを示す断面図である図３２を用いて説明する。
なお、左右の回転ブラシ組立３８１ａ、３８１ｂは、短いほうが右側用、長いほうが左側用で、その違いは短尺植毛支持具３８２ｂの有無であり、作りが同じ左右対称形である。
【００７２】
右回転ブラシ組立３８１ａは、周囲に植毛（図示せず）を装着するための植毛装着溝３８３が螺旋状に形成された、筒状の長尺植毛支持具３８２ａと、その長尺植毛支持具３８２ａの右端面に装着された、右回転ブラシ駆動部３６１ａに装着された回転ブラシ駆動部継ぎ手３６２とかみ合う、複数の凹みが形成された回転ブラシ継ぎ手３８４と、長尺植毛支持具３８２ａの左側に圧入された、一端に回転ブラシ支持軸圧入部３８６が形成された短尺回転ブラシ支持軸３８５ａと、その短尺回転ブラシ支持軸３８５ａを回転可能に支持するための回転ブラシ軸受３６９と、その回転ブラシ軸受３６９を装着するための回転ブラシ軸受装着部３８８と、右回転ブラシ組立３８１ａを、回転ブラシ支持具２８２から着脱する際に用いる回転ブラシ持ち手部３８９と、その両者をつなぐ回転ブラシ腕部３９０とが形成された右回転ブラシ軸受支持具３８７ａとから構成されている。
【００７３】
左回転ブラシ組立３８１ｂは、両端に回転ブラシ支持軸圧入部３８６が形成された長尺回転ブラシ支持軸３８５ｂを用い、左回転ブラシ軸受支持具３８７ｂに形成された回転ブラシ軸受装着部３８８の両端に、前記長尺植毛支持具３８２ａと短尺植毛支持具３８２ｂとを装着したものである。
なお、両植毛支持具３８２ａ、３８２ｂの植毛装着溝３８３の螺旋がつながるように、両植毛支持具３８２ａ、３８２ｂと長尺回転ブラシ支持軸３８５ｂとの圧入の向きは規制されている。
【００７４】
加えて、外かく２の直角部２ｃに相当する部分の、塵埃のかき出しを目的とした隅用回転ブラシ４０１についても図２５を参照して説明する。
隅用回転ブラシ４０１は、前記左回転ブラシ組立３８１ｂの右端に、回転ブラシ支持具２８２に形成された隅用回転ブラシ穴２９４を介して装着するもので、束状の隅用植毛４０４と、その隅用植毛４０４が植え込まれた隅用植毛支持具４０２とから構成されており、その隅用植毛支持具４０２の反植毛側には、長尺回転ブラシ支持軸３８５ｂへの装着に用いる回転ブラシ支持軸穴４０３が開口している。
【００７５】
ワイヤー掛け具４１２は、左右の吸込口カバー３５１ａ、３５１ｂに形成された吸込口カバー規制部３５４に掛けられたワイヤー４１１の他端が掛けられるもので、下外かく１１に形成された下外かく吸込具組立配置部隔壁２４の内側の円弧にならった弓状をしており、そのワイヤー掛け具４１２の両端には、左右の吸込口カバー３５１ａ、３５１ｂからのワイヤー４１１に対応するワイヤー掛け部４１３が、そのワイヤー掛け具４１２の内側には、旋回台脱落防止具２２１に形成されたワイヤー掛け具突起受け部２２８に対応する、左右一対からなるワイヤー掛け具突起４１４が形成されている。
【００７６】
ここで、図２１〜図３２を参照して、吸込具組立２８１の組み立てと、基本的な動作について説明する。
第一段階は、左右の回転ブラシ駆動部３６１ａ、３６１ｂの組み立てで、まずは、回転ブラシ軸受３６９及び回転ブラシ歯車軸３６７を圧入し終えた、２部品からなる左右の回転ブラシ歯車室３７０ａ、３７０ｂへ、回転ブラシ駆動小歯車３６４を圧入し終えた回転ブラシ電動機３６３をねじ４８１にて締結する。
次いで、回転ブラシ動力伝達軸３６８を装着し終えた回転ブラシ最終段歯車３６６及び多種の回転ブラシ被動歯車３６５を、回転ブラシ軸受３６９及び回転ブラシ歯車軸３６７へ挿入し、次いで、左右の回転ブラシ歯車室３７０ａ、３７０ｂの両者をねじ４８１にて締結することで完了する。
【００７７】
第二段階は、左右の回転ブラシ組立３８１ａ、３８１ｂの組み立てで、まずは、２本の長尺植毛支持具３８２ａ及び短尺植毛支持具３８２ｂに形成された植毛装着溝３８３へ植毛（図示せず）を装着し、次いで、その長尺植毛支持具３８２の端面に回転ブラシ継ぎ手３８４を装着する。
次いで、左右の回転ブラシ軸受支持具３８７ａ、３８７ｂに形成された回転ブラシ軸受装着部３８８へ回転ブラシ軸受３６９を装着し、次いで、右回転ブラシ軸受支持具３８７ａには、短尺回転ブラシ支持軸３８５ａを、左回転ブラシ軸受支持具３８７ｂには、長尺回転ブラシ支持軸３８５ｂを挿入する。
次いで、先に示した短尺回転ブラシ支持軸３８５ａには、先に示した長尺植毛支持具３８２を、長尺回転ブラシ支持軸３８５ｂには、長尺植毛支持具３８２及び短尺植毛支持具３８２ｂを圧入することで完了する。
【００７８】
第三段階は、回転ブラシ支持具２８２の組み立てで、まずは、底板３０１に形成された固定植毛装着部３０２へ、固定植毛４２１を接着剤等を用いて装着する。
次いで、回転ブラシ固定具支持軸２９８へ、回転ブラシ固定具３２１に形成された回転ブラシ固定具穴３２２を、弾性を利用し装着し、次いで、塵埃ダクト装着部２９５へ塵埃ダクト３３１を装着して、塵埃ダクトねじ穴３３２をねじ４８１にて締結する。
次いで、その塵埃ダクト３３１に形成された塵埃ダクト自在連結管開口部３３３へ自在連結管３４１を装着することで完了する。
この段階で、回転ブラシ固定具３２１は回転ブラシ支持具２８２に対し、回転ブラシ固定具支持軸２９８の軸心を中心に、回動可能となり、かつ、係合可能となる。
また、回転ブラシ支持具２８２に形成された塵埃吸込口２８６から、シールリップ３４３側の自在連結管接続口３４２までが、塵埃風路として通ずる。
【００７９】
第四段階は、前記第三段階の部分と左右の吸込口カバー３５１ａ、３５１ｂ及び左右の回転ブラシ駆動部３６１ａ、３６１ｂとの組み立てで、まずは、左右の吸込口カバー３５１ａ、３５１ｂに形成された吸込口カバー規制部３５４に、ワイヤー４１１の一端を引っ掛け、次いで、吸込口カバーばね受け部３５５に、ねじりコイルばねからなる吸込口カバーばね４２２の一端を引っ掛ける。
次いで、回転ブラシ支持具２８２に形成された吸込口カバー装着部２９３ａ、２９３ｂへ、先に示した吸込口カバー規制部３５４及び吸込口カバーばね受け部３５５の、反対側に形成された吸込口カバー装着穴３５３を挿入しながら、左右の吸込口カバー３５１ａ、３５１ｂを左右の回転ブラシ収容部２８３ａ、２８３ｂへ納めていく。
なお、この時同時に、ワイヤー４１１の他端をワイヤー穴２９２への通し入れや、吸込口カバーばね４２２の他端の回転ブラシ支持具吸込口カバーばね受け部２９０への引っ掛けも行う。
【００８０】
次いで、回転ブラシ支持具２８２に形成された、回転ブラシ動力伝達軸穴２９１及び回転ブラシ駆動部用ねじボス２８８と、左右の回転ブラシ歯車室３７０ａ、３７０ｂに形成された、回転ブラシ動力伝達軸スリーブ３７１及び回転ブラシ駆動部ねじ穴３７２との位置を合わせ、左右の回転ブラシ駆動部３６１ａ、３６１ｂを挿入し、その回転ブラシ駆動部ねじ穴３７２をねじ４８１にて締結する。
なお、この時、塵埃ダクト３３１に形成された回転ブラシ歯車室係合爪３３６が、回転ブラシ歯車室係合段差３７３に係合される。
また、先に納めておいた左右の吸込口カバー３５１ａ、３５１ｂの、吸込口カバー規制部３５４及び吸込口カバーばね受け部３５５側に形成された吸込口カバー装着穴３５３へ、回転ブラシ動力伝達軸スリーブ３７１は挿入され、回動軸としても働く。
【００８１】
この段階で、左右の吸込口カバー３５１ａ、３５１ｂは回転ブラシ支持具２８２に対し、吸込口カバー装着部２９３ａ、２９３ｂ及び回転ブラシ動力伝達軸スリーブ３７１と、吸込口カバーばね４２２との作用により、左右の回転ブラシ収容部２８３ａ、２８３ｂの中で、回動可能となり、かつ、前側に付勢され左右の吸込口２８４ａ、２８４ｂを閉塞する。
なお、その左右の吸込口カバー３５１ａ、３５１ｂの閉塞量は、回転ブラシ支持具吸込口カバー規制部２８９と吸込口カバー規制部３５４とが、当接することで定まる。
次いで、その回転ブラシ動力伝達軸スリーブ３７１から突出した回転ブラシ動力伝達軸３６８の端部へ、回転ブラシ駆動部継ぎ手３６２を装着することで完了する。
【００８２】
第五段階は、前記第四段階の部分とワイヤー掛け具４１２との組み立てで、まずは、回転ブラシ支持具２８２に形成された回転ブラシ支持具段差検出センサー装着部３０５へ段差検出センサー４７１を装着する。
次いで、ワイヤー穴２９２から出たワイヤー４１１の他端を、ワイヤー掛け具４１２の両端に形成されたワイヤー掛け部４１３へ引っ掛けることで完了する。
この段階で、ワイヤー掛け具４１２を、吸込口カバーばね４２２の荷重以上の力で引っ張れば、閉塞状態であった左右の吸込口カバー３５１ａ、３５１ｂは開放状態になり、引っ張るのをやめれば、吸込口カバーばね４２２の作用で閉塞状態に戻る。
【００８３】
最後は、前記第五段階の部分と左右の回転ブラシ組立３８１ａ、３８１ｂ及び隅用回転ブラシ４０１との組み立てで、まずは、回転ブラシ支持具２８２の中にある回転ブラシ駆動部継ぎ手３６２へ、左右の回転ブラシ組立３８１ａ、３８１ｂの端部に装着された回転ブラシ継ぎ手３８４を挿入しながら、左右の回転ブラシ組立３８１ａ、３８１ｂを左右の回転ブラシ収容部２８３ａ、２８３ｂへ納めていく。
次いで、回転ブラシ支持具２８２に形成された、回転ブラシ腕部装着部３０３及び回転ブラシ持ち手部装着部３０４へ、左右の回転ブラシ組立３８１ａ、３８１ｂに装着された左右の回転ブラシ軸受支持具３８７ａ、３８７ｂの、回転ブラシ腕部３９０及び回転ブラシ持ち手部３８９を装着する。
次いで、回転ブラシ支持具２８２に装着された回転ブラシ固定具３２１を回動して行き、先に示した回転ブラシ腕部３９０及び回転ブラシ持ち手部３８９を押さえ込むことで完了する。
【００８４】
また、隅用回転ブラシ４０１は、前記左回転ブラシ組立３８１ｂの右端にのぞく長尺回転ブラシ支持軸３８５ｂへ、隅用回転ブラシ４０１に形成された回転ブラシ支持軸穴４０３を、回転ブラシ支持具２８２に形成された隅用回転ブラシ穴２９４を介して装着することで完了する。
この段階で、回転ブラシ電動機３６３へ電力を供給すれば、回転ブラシ駆動部継ぎ手３６２の回転を回転ブラシ継ぎ手３８４が受け、左右の回転ブラシ組立３８１ａ、３８１ｂ及び隅用回転ブラシ４０１は回転する。
【００８５】
送風機４３１は、塵埃を吸い込むための気流を発生させる働きを持つもので、上側に送風機吸気口部４３２が、側面に送風機排気口部４３３が形成された外かくを兼ねる渦室と、その渦室の内部に装着された羽根車（図示せず）と、その下側に装着された送風機電動機（図示せず）とからなり、気流は、羽根車（図示せず）を、送風機電動機（図示せず）により高速回転させることで、上流側に当たる送風機吸気口部４３２から、下流側に当たる送風機排気口部４３３に向け流れる。
なお、送風機４３１の側面には、仕切り板８１に形成された送風機用ねじボス９４に対応する送風機ねじ穴４３４も形成されている。
【００８６】
次に図３３を参照する。
集塵部組立４５１は、集塵部組立４５１を示す斜視図である図３３で示すように、吸い込んだ塵埃を溜め込む側の集塵部ケース４５２と、その集塵部ケース４５２の開口部を閉塞するための集塵部蓋４５９と、それらに関係する様々な部品とから構成されており、それぞれ多くの部品、部位から構成されている。
【００８７】
集塵部ケース４５２は、中空で上側が開口した略Ｌ字形をしたもので、その集塵部ケース４５２の前側には、仕切り板８１に装着された自在連結管３４１に形成されたシールリップ３４３に対応する集塵部入口部４５３が、その集塵部入口部４５３の上側には、一対からなる集塵部蓋軸穴４５４が形成されており、集塵部ケース４５２の中央部には、仕切り板通気口部９３、送風機吸気口部４３２へと通ずる集塵部吸気口部４５５が、集塵部ケース４５２の右端には、深底となっている塵埃溜め部４５６が、その塵埃溜め部４５６と集塵部吸気口部４５５との間には、塵埃搬送路４５７が形成されている。
なお、集塵部吸気口部４５５には、山形をした集塵部フィルター４５８が装着されている。
【００８８】
集塵部蓋４５９は、集塵部ケース４５２の外形にならった略Ｌ字形の平板状のもので、その集塵部蓋４５９の前側には、集塵部ケース４５２に形成された集塵部蓋軸穴４５４に対応する集塵部蓋軸４６０が形成されており、集塵部蓋４５９の周囲には、閉塞時に集塵部ケース４５２の端部と当接する、気密性を確保するための集塵部蓋パッキン４６１が装着されている。
なお、集塵部蓋４５９は集塵部ケース４５２に対し、集塵部蓋軸４６０の作用により、集塵部蓋軸穴４５４の軸心を中心に、回動可能となっている。
【００８９】
ここで、仕切り板８１を中心とした部分の組み立てと、基本的な動作について、今まで説明してきた内容に基づき説明する。
第一段階は、仕切り板８１と吸込具組立２８１との組み立てで、まずは、塵埃ダクト３３１に形成された塵埃ダクト吸込具組立ばね受け部３３５に、圧縮ばねからなる吸込具組立ばね４２３の一端を装着し、次いで、仕切り板８１に形成された吸込具組立装着穴８３及び仕切り板吸込具組立ばね受け部８６と、回転ブラシ支持具２８２に形成された吸込具組立装着ボス３００及び吸込具組立ばね４２３の他端との位置を合わせ、吸込具組立２８１を下方から挿入し、次いで、吸込具組立装着穴８３の径より大きい径の座金４８２を介して、吸込具組立２８１を仕切り板８１に対し吊り下げるようにねじ４８１にて締結する。
次いで、仕切り板８１に形成された仕切り板自在連結管開口部９１へ、自在連結管３４１に形成されたシールリップ３４３側の自在連結管接続口３４２を装着することで完了する。
【００９０】
なお、吸込具組立装着穴８３の深さ寸法に対し、吸込具組立装着ボス３００の長さ寸法は大きいので、前記寸法の差の分、吸込具組立２８１は仕切り板８１に対し上下動可能であり、その両者間をつなぐ自在連結管３４１も、蛇腹状をした軟質素材で形成していることから、その上下動を阻害はしない。
通常吸込具組立２８１は、その自重及び吸込具組立ばね４２３の作用により、下方へ安定的に付勢されているが、床面等からの出っ張り等により、下方から過負荷等が加われば、吸込具組立２８１は上方へ移動する。
【００９１】
第二段階は、前記第一段階の部分と送風機４３１との組み立てで、まずは、送風機４３１に形成された送風機吸気口部４３２の周囲に、仕切り板８１に形成された仕切り板通気口部９３の下側との気密性を確保するための送風機パッキン４４１を装着し、次いで、送風機用ねじボス９４と送風機ねじ穴４３４との位置を合わせ、ねじ４８１にて締結することで完了する。
【００９２】
第三段階は、前記第二段階の部分と集塵部組立４５１との組み立てで、まずは、仕切り板８１に形成された仕切り板通気口部９３の周囲に、集塵部ケース４５２に形成された集塵部吸気口部４５５との気密性を確保するための集塵部パッキン１１１を装着し、次いで、仕切り板集塵部組立装着部８９へ集塵部組立４５１を装着することで完了する。
この段階で、回転ブラシ支持具２８２に形成された塵埃吸込口２８６から送風機４３１までが、集塵部組立４５１を介し、塵埃風路として通ずる。
なお、集塵部組立４５１の装着を、この段階で説明したが、これは塵埃風路の説明を行うためのもので、本来であれば、自走式掃除機１の組み立てが全て完了した時点で行うべきであろう。
【００９３】
最後は、前記第三段階の部分と左右の方向近接センサー４７３ａ、４７３ｂ及び左右の側面近接センサー４７４ａ、４７４ｂとの組み立てで、仕切り板８１に形成されたセンサー装着部８８へ、左右の方向近接センサー４７３ａ、４７３ｂ及び左右の側面近接センサー４７４ａ、４７４ｂを装着することで完了する。
なお、本来であれば、この段階で基板類（図示せず）の装着や配線接続の一部が行われるわけだが、今回はこれを割愛する。
また、左右の方向近接センサー４７３ａ、４７３ｂ及び左右の側面近接センサー４７４ａ、４７４ｂについては、最終の組み立てのところで説明する。
【００９４】
これ以降、今まで説明してきた種々の装置を組み込む筐体に相当する部分である外かく２を、自走式掃除機１の分解図である図６を主に用いながら、部品や部位及びそれらの組み立てや基本的な動作について説明して行く。
なお、今まで同様、説明は基本的に、組み立て順序に従いながら、部品や部位の説明、組み立てや基本的な動作の説明を繰り返しながら進め、説明が細部に及ぶ場合は、それに見合った図面を追加しながら進めて行く。
【００９５】
中外かく４１は、自走式掃除機１の側面を構成する、中空のしずく形をしたもので、その中外かく４１の周囲、即ち、外かく２の輪郭に相当する部分は、前側左右は側面２ｅ、２ｆに、後側は円弧面２ｄとなっており、その左右の側面２ｅ、２ｆ及び直角部２ｃの下側は、左右の吸込口２８４ａ、２８４ｂが配置される吸込口配置部４２として大きく切りかかれている。
また、円弧部２ａの後側には、後方近接センサー４７２からの赤外線を通すための複数の後方近接センサー開口部４３が形成されている。
なお、中外かく４１の組み立ては、下外かく１１と上外かく５１に挟み込むことで成り立つので、組み立てに用いるねじボスやねじ穴は形成されていない。
【００９６】
上外かく５１は、自走式掃除機１の上側を構成する、しずく形の盆状をしたもので、その周囲、即ち、外かく２の輪郭に相当する部分は、機械的強度を高めることを目的に、前側左右は側面２ｅ、２ｆに、後側は円弧面２ｄとなっており、その左右の側面２ｅ、２ｆには、左右の方向近接センサー４７３ａ、４７３ｂ及び左右の側面近接センサー４７４ａ、４７４ｂからの赤外線を通すための複数の近接センサー開口部５２が形成されており、その近接センサー開口部５２の近傍には、仕切り板８１に形成された仕切り板回転ブラシ電動機隔壁８５に対応する左右一対からなる上外かく回転ブラシ電動機隔壁５３が形成されている。
【００９７】
また、上外かく５１の中央部には、集塵部カバー７１の外形にならった凹みからなる、閉塞時の集塵部カバー７１を納めるための集塵部カバー装着部５４が形成されており、その集塵部カバー装着部５４には、仕切り板８１に形成された仕切り板集塵部組立装着部隔壁９０に対応する上外かく集塵部組立装着部隔壁５６で囲まれた、集塵部組立４５１を装着するための集塵部組立装着開口部５５が、その集塵部組立装着開口部５５の右側には、集塵部カバー７１の閉塞状態を維持するための一対からなる上外かく集塵部カバー節度部５７が形成されている。
【００９８】
更に、集塵部カバー装着部５４左側の、仕切り板８１に形成された仕切り板集塵部カバー装着部隔壁９６に対応する上外かく集塵部カバー装着部隔壁６０で囲まれた中には、集塵部カバー７１に形成された集塵部カバー軸部７２が回動するための集塵部カバー開口部５８と、仕切り板８１に形成された仕切り板集塵部カバー軸受９５に対応する一対からなる上外かく集塵部カバー軸受５９とが形成されており、その上外かく集塵部カバー軸受５９の左側には、仕切り板８１に形成された仕切り板蓄電池装着部隔壁９８に対応する上外かく蓄電池装着部隔壁６１が形成されており、その他、上外かく５１には、下外かく１１に形成された外かくねじ穴３１に対応する外かく用ねじボス６２が形成されている。
なお、本来上面には、操作、表示基板（図示せず）に対応する操作、表示部が形成されるが、今回は図示を割愛する。
【００９９】
集塵部カバー７１は、仕切り板８１に形成された仕切り板集塵部組立装着部８９に装着される集塵部組立４５１を保持する働きを持つ、略鍵穴形の板状をしたもので、その集塵部カバー７１の左側の円形部の端部には、断面が略Ｕ字形からなる集塵部カバー軸部７２が、その集塵部カバー軸部７２の先端部には、仕切り板８１や上外かく５１に形成された集塵部カバー軸受５９、９５に対応する一対からなる集塵部カバー軸７３が形成されている。
また、集塵部カバー７１の右側の方形部には、上外かく５１に形成された上外かく集塵部カバー節度部５７に対応する一対からなる集塵部カバー節度部７４が、方形部の端部には、集塵部カバー７１を開放する際用いる集塵部カバー手掛け部７５が形成されている。
【０１００】
ここで、今まで説明してきた、下外かく１１を中心とした部分及び仕切り板８１を中心とした部分と、外かく２との組み立て、即ち、最終組み立てと、基本的な動作について、今まで説明してきた内容に基づき説明する。
第一段階は、下外かく１１を中心とした部分と仕切り板８１を中心とした部分との組み立てで、まずは、下外かく１１に形成された、仕切り板用ねじボス３０及び外かくねじ穴３１と、仕切り板８１に形成された、仕切り板ねじ穴１０２及び仕切り板外かく用ねじ穴１０３との位置を合わせ、仕切り板８１を中心とした部分を下方に降ろす。
なお、この時同時に、下外かく１１に形成された下外かく吸込具組立配置部隔壁２４の内側で、かつ、旋回台脱落防止具２２１に形成された旋回台脱落防止部２２５の上側へ、吸込具組立２８１に装着されたワイヤー掛け具４１２を装着し、下外かく吸込具組立配置部隔壁２４の上端部に形成されたワイヤー溝２７へ、左右２本のワイヤー４１１をはめ込む。
【０１０１】
これにより、ワイヤー４１１がはめ込まれたワイヤー溝２７を、仕切り板８１に形成された仕切り板吸込具組立配置部隔壁９２が、下外かく１１に装着された後方近接センサー４７２の上側を、仕切り板８１に形成された仕切り板後方近接センサー押え部１００が押さえ込み、次いで、仕切り板ねじ穴１０２を、ねじ４８１にて締結する。
次いで、下外かく蓄電池装着部１８と仕切り板蓄電池装着部９７が一体化した部分へ、蓄電池１２１を装着することで完了する。
なお、この時点でのねじ４８１締結は、仕切り板ねじ穴１０２のみで、仕切り板外かく用ねじ穴１０３については、外かく２の組み立ての時に共締めされる。
また、本来であれば、この段階で残りの配線接続が行われる。
【０１０２】
第二段階は、前記第一段階の部分と中外かく４１との組み立てで、回転ブラシ支持具２８２に形成された回転ブラシ支持具遮蔽壁２９９の前側が、中外かく４１に形成された吸込口配置部４２で覆われることに注意しながら、前記第一段階の部分へ中外かく４１を挿入ことで完了する。
この段階で、下外かく１１に装着された複数の後方近接センサー４７２が、中外かく４１に形成された後方近接センサー開口部４３からのぞく。
なお、先に示した回転ブラシ支持具遮蔽壁２９９の高さ寸法と、吸込口配置部４２の切りかき寸法は、吸込具組立２８１が下方へ付勢されている状態は基より、吸込具組立２８１が上方へ移動しても、必ず重なり合い、かつ、吸込具組立２８１の上方へ移動を阻害しないよう設定されているため、吸込具組立２８１がどの状態にあっても内側が見えることはない。
【０１０３】
第三段階は、上外かく５１と集塵部カバー７１との組み立てで、まずは、上外かく５１に形成された集塵部カバー開口部５８へ、集塵部カバー７１に形成された集塵部カバー軸部７２を通し、次いで、上外かく５１に形成された上外かく集塵部カバー軸受５９へ、集塵部カバー軸部７２の先端部に形成された集塵部カバー軸７３を装着する。
次いで、集塵部カバー７１を回動させ、上外かく５１に形成された集塵部カバー装着部５４へ納め、上外かく５１に形成された上外かく集塵部カバー節度部５７へ、集塵部カバー７１に形成された集塵部カバー節度部７４を引っ掛けることで完了する。
【０１０４】
最後は、前記第二段階の部分と前記第三段階の部分との組み立てで、まずは、仕切り板８１に形成された仕切り板外かく用ねじ穴１０３と、上外かく５１に形成された外かく用ねじボス６２との位置を合わせ、前記第三段階の部分を下方に降ろす。
次いで、そのものを反転し、下外かく１１に形成された外かくねじ穴３１を、ねじ４８１にて締結することで完了する。
【０１０５】
これにより、外かく２の直角部２ｃの内側、即ち、左右の側面２ｅ、２ｆに挟まれた位置に、仕切り板８１に吊り下げるように装着した吸込具組立２８１が配置され、中外かく４１に形成された吸込口配置部４２から、吸込具組立２８１に装着された、左右の吸込口カバー３５１ａ、３５１ｂ及び左右の回転ブラシ組立３８１ａ、３８１ｂがのぞき、上外かく５１に形成された近接センサー開口部５２から、左右の方向近接センサー４７３ａ、４７３ｂ及び左右の側面近接センサー４７４ａ、４７４ｂものぞく。
なお、今まで、種々の隔壁について説明してきたが、これは主に、塵埃から装置を守るために取った工夫で、この段階で全ての隔壁同士が当接し合い、種々の装置の間を区画することになる。
【０１０６】
この段階で、自走式掃除機１を起動すれば、左右の走行輪駆動部１６２ａ、１６２ｂの働きにより、清掃面となる床面上を走行でき、旋回台１３１及び旋回台駆動部２４２の働きにより、外かく２及び吸込具組立２８１の方向と走行方向との切り替え、即ち、直角部２ｃを先頭に走行する通常走行と、右側面２ｅ及び左側面２ｆを壁面に沿わして走行する壁際走行との切り替えができ、吸込具組立２８１、送風機４３１及び集塵部組立４５１の働きにより、床面等の塵埃を、吸い込み、かき出し、集塵することができる。
なお、今までの説明の中で、装置の状況を把握するためのセンサー（走行輪回転センサー２０１、走行輪位置センサー２０２、旋回台位置センサー２７１）については触れてきたが、家屋の状況を把握するためのセンサー（段差検出センサー４７１、後方近接センサー４７２、左右の方向近接センサー４７３ａ、４７３ｂ、左右の側面近接センサー４７４ａ、４７４ｂ）については、装着位置のみの説明であったため、以下に、それぞれの働き等に関する説明を行う。
【０１０７】
各センサーいずれも、赤外線を出射する発光部と、物体で反射した戻り光を受ける受光部とからなる、距離情報を検知、出力するもので、下外かく１１及び回転ブラシ支持具２８２に、発光、受光部が下側を向くように装着された段差検出センサー４７１は、床面等の凹みや段差の深さを距離情報として検知、出力するもので、制御部は、その深さを示す出力が所定以上であった場合には、走行輪電動機１６４への電力の供給量や極性変更及び停止に関する命令を発し、自走式掃除機１の走行方向を変更したり走行を停止させたりする。
【０１０８】
下外かく１１に、発光、受光部が後側を向くように装着された後方近接センサー４７２や、仕切り板８１に、発光、受光部が外側を向くように装着された左右の方向近接センサー４７３ａ、４７３ｂは、壁面や障害物までの距離情報を検知、出力するもので、制御部は、前記に同じく、走行輪電動機１６４へ走行に関する命令を発する。
【０１０９】
仕切り板８１に、発光、受光部が外側を向くように装着された左右の側面近接センサー４７４ａ、４７４ｂは、右側面２ｅに対し、２個の右側面近接センサー４７４ａ、左側面２ｆに対し、同じく２個の左側面近接センサー４７４ｂと、複数から構成されており、壁面や障害物までの距離情報を検知、出力するものであることは、前記の後方近接センサー４７２及び左右の方向近接センサー４７３ａ、４７３ｂと同じだが、制御部は、同一平面で、かつ、所定間隔に装着された２個の側面近接センサーからの距離情報を比較することで、壁面や障害物に対する左右の側面２ｅ、２ｆの角度も把握することができる。
【０１１０】
これ以降、自走式掃除機１の上外かく及び仕切り板を取り除いた平面図である図３６〜図３８、及び、右壁際走行状態を示す斜視図である図３９、及び、壁面に向かって斜めに走行する状態を示す動作図である図４０〜図４４を参照して、吸込具組立２８１に装着された左右の吸込口カバー３５１ａ、３５１ｂの、最終的な開閉機構と動作について説明する。
左右の吸込口カバー３５１ａ、３５１ｂの基本的な動作、即ち、閉塞は、吸込口カバーばね４２２の作用にて行われ、開放は、吸込口カバー規制部３５４に引っ掛けられたワイヤー４１１を、ワイヤー掛け具４１２を介して引っ張れば行える旨、吸込具組立２８１の組み立て  第四段階及び第五段階のところで触れたが、本発明の実施の形態１に示す自走式掃除機１では、そのワイヤー掛け具４１２を引っ張る動作を、旋回台１３１の回動、即ち、直角部２ｃを先頭に走行する通常走行と、右側面２ｅ及び左側面２ｆを壁面に沿わして走行する壁際走行との切り替えを利用し行うものである。
【０１１１】
まず、旋回台１３１の回動であるが、起動された自走式掃除機１は、送風機４３１及び左右の回転ブラシ組立３８１ａ、３８１ｂを動作させ、塵埃を吸い込み、かき出しながら、左右の走行輪駆動部１６２ａ、１６２ｂを動作させ、例えば図４０に示すように、壁面に向かって斜めに通常走行状態での走行を開始する。
この段階では、壁面と自走式掃除機１との距離が離れ過ぎているため、２個の右側面近接センサー４７４ａ及び他の近接センサーは、壁面からの距離情報を検知、出力しないので、自走式掃除機１はそのまま通常走行を続ける。
【０１１２】
次いで、壁面と自走式掃除機１との距離が縮まった図４１のような状態になると、最初に、前側にある右側面近接センサー４７４ａが壁面を検知し、制御部に対し壁面からの距離情報を出力し、次いで、その後側にある右側面近接センサー４７４ａが壁面を検知し、同じく、制御部に対し壁面からの距離情報を出力する。
この段階で制御部は、壁面と自走式掃除機１との距離を把握すると共に、２個の右側面近接センサー４７４ａからの距離情報を比較することで、壁面に対する自走式掃除機１の右側面２ｅの角度も演算できるので、壁面と右側面２ｅとが平行に沿うよう、制御部は、走行輪回転センサー２０１からの回転状況の出力も得ながら、右走行輪駆動部１６２ａの走行輪電動機１６４へ対しては電力供給量を多めに、左走行輪駆動部１６２ｂの走行輪電動機１６４へ対しては電力供給量を控えめにするような命令を発する。
【０１１３】
次いで、壁面と自走式掃除機１の右側面２ｅとの距離が近接し、かつ、壁面と右側面２ｅとがほぼ平行に沿った図４２のような状態になると、制御部は、２個の右側面近接センサー４７４ａにより、壁面と右側面２ｅとの距離や平行の度合いを監視しながら、旋回台駆動部２４２の旋回台電動機２４４へ対して、電力供給に関する命令を発し、走行輪組立１６１を含む旋回台１３１を、外かく２及び吸込具組立２８１に対し左方向に回動させ、合わせて制御部は、右走行輪駆動部１６２ａの走行輪電動機１６４へ対しては前側へ、左走行輪駆動部１６２ｂの走行輪電動機１６４へ対しては後側へ走行させるような、主に極性変更に関する命令を発する。
これが、通常走行から図４３に示す右壁際走行への切り替え動作であり、その切り替え動作は、旋回台１３１と共に回動する旋回台位置センサー遮蔽板２０３が、旋回台位置センサー２７１の光路を遮蔽した時点で終了する。
【０１１４】
なお、補足ではあるが、左方向に回動するのは旋回台１３１であっても、走行輪１６３が床面に接地している関係上、床面に対し旋回台１３１は動かず、外かく２が右回動することになる。すると、せっかくほぼ平行にまでなった壁面と右側面２ｅとの関係が狂ってしまうため、それを打ち消すために、左右の走行輪駆動部１６２ａ、１６２ｂも動作させるものである。
【０１１５】
今まで、旋回台１３１の回動について説明してきたが、この時、自走式掃除機１の内部では、左右の吸込口カバー３５１ａ、３５１ｂが閉塞状態から開放へ転ずる動作も起こっている。
前段にて、走行輪組立１６１を含む旋回台１３１の回動としたが、当然ながら、旋回台１３１に装着されている旋回台脱落防止具２２１も合わせて回動するわけで、通常走行状態時には、ワイヤー掛け具４１２に形成された左右一対からなるワイヤー掛け具突起４１４の、中間に位置していた旋回台脱落防止具２２１に形成されたワイヤー掛け具突起受け部２２８も、旋回台１３１の全回動量の後半過ぎには、ワイヤー掛け具突起４１４に当接するまで回動してくる。
【０１１６】
上述の通り、旋回台１３１の回動は、旋回台位置センサー遮蔽板２０３が旋回台位置センサー２７１の光路を遮蔽するまで行われるので、ワイヤー掛け具突起受け部２２８がワイヤー掛け具突起４１４へ当接して以降のワイヤー掛け具４１２は、ワイヤー掛け具突起受け部２２８にワイヤー掛け具突起４１４が押されながら、全回動量の残りの分旋回台１３１と合わせ回動し、吸込具組立２８１に対するワイヤー掛け具４１２の位置は遠のき、それに伴い、ワイヤー４１１が左右の吸込口カバー３５１ａ、３５１ｂを引っ張り開放へ転じさせ、外かく２の左右の側面２ｅ、２ｆから、左右の回転ブラシ組立３８１ａ、３８１ｂがのぞくようになる。
【０１１７】
なお、左右の吸込口カバー３５１ａ、３５１ｂの開放開始時期を、旋回台１３１の全回動量の後半過ぎとしたが、これは、回転ブラシ安全性（手の怪我等）の向上を目的としたもので、自走式掃除機１が壁際走行へ移行する寸前まで、左右の吸込口カバー３５１ａ、３５１ｂにより左右の回転ブラシ組立３８１ａ、３８１ｂを覆い隠しておくためである。
また、左右の吸込口カバー３５１ａ、３５１ｂの閉塞状態を保つために、吸込口カバーばね４２２を用いているが、その吸込口カバーばね４２２力は、左右の吸込口カバー３５１ａ、３５１ｂが軽量であるため、さほど大きなものではなく、一連の駆動部に当たる旋回台駆動部２４２を逆回転させるようなことはなく、左右の吸込口カバー３５１ａ、３５１ｂが閉塞状態へ戻ることはない。
【０１１８】
次いで、右壁際走行へ移行し終わった自走式掃除機１は、２個の右側面近接センサー４７４ａにより、壁面と右側面２ｅとの距離や平行の度合いを監視しながら、左右の走行輪駆動部１６２ａ、１６２ｂを動作させ、図４４に示すように、壁面に右回転ブラシ組立３８１ａが接するまで、自動車運転で言う幅寄せを行い、その後、その状態を維持したまま、主に左側面近接センサー４７４ｂが壁面を検知するまで、そのまま右壁際走行を続ける。
【０１１９】
これにより、壁際清掃において、左右の吸込口カバー３５１ａ、３５１ｂにて壁面に傷を付けてしまうこともなく、家屋において塵埃が堆積しやすい床面と壁面が交わる部分、壁面同士が交わる部分の清掃性が向上する。
また、壁面に左右の回転ブラシ組立３８１ａ、３８１ｂが接していることから、左右の吸込口カバー３５１ａ、３５１ｂが開放状態であっても、塵埃を吸い込むための気流は下側に集中するので、この状態であっても、通常走行時における清掃性に劣ることはない。
更に、隅用回転ブラシ４０１があることで、外かく２の直角部２ｃに相当する部分の塵埃のかき出し性も向上する。
なお、右壁際走行を例に説明を進めてきたが、本発明の実施の形態１に示す自走式掃除機１の旋回台１３１は、反対側にも回動可能なので、左右どちらの壁際走行も可能である。
【０１２０】
加えて、自走式掃除機１が、後側から段差（敷居やじゅうたん等）に進入する状態について、図４５を用いながら説明して行く。
本発明に示す自走式掃除機１は、その形がしずく形であることから、左右方向の幅寸法に対し、前後方向の奥行き寸法の方が大きく、その寸法の差が、外かく２の直角部２ｃの部分であるため、後側から段差（敷居やじゅうたん等）に進入する場合、傾きの支点に相当する走行輪１６３から遠方にある吸込具組立２８１が床面に接触してしまい、他の方向からの進入より難しい。
【０１２１】
そのため、吸込具組立２８１の装着方法を、下方から過負荷等が加われば上方へ移動するようなものにしたわけだが、それでも、左右の吸込口カバー３５１ａ、３５１ｂの先端の接触が課題として残る。
しかし、左右の吸込口カバー３５１ａ、３５１ｂの閉塞状態の保持を、さほどばね力が大きくない吸込口カバーばね４２２としていることから、左右の吸込口カバー３５１ａ、３５１ｂが開放状態にない通常走行状態であっても、下方から過負荷等が加われば簡単に上方へ移動し、床面に傷を付けてしまったり、引っかかったりするようなことがない。
【０１２２】
実施の形態２
次に、図４６〜図４８を参照して、実施の形態２を説明する。
本発明の実施の形態２に示す自走式掃除機１は、左右の吸込口カバー５２１ａ、５２１ｂの開閉を専用の機構にて行うもので、具体的には、駆動源、変速機及び吸込口カバー駆動部滑車５４２が一体化された、左右の吸込口カバー駆動部５４１ａ，５４１ｂと、左右の吸込口カバー５２１ａ、５２１ｂと吸込口カバー駆動部滑車５４２とをつなぐ、巻き掛け伝動部品であるベルト又はワイヤー５３１等から構成されている。
これ以降、自在連結管３４１を取り除いた吸込具組立５０１を示す平面図である図４６、及び、回転ブラシ支持具５１１及び左吸込口カバー５２１ｂ、左吸込口カバー駆動部５４１ｂを示す断面図である図４７〜図４８を主に用いながら、部品や部位及びそれらの組み立てや基本的な動作について説明して行く。
なお、説明は基本的に、組み立て順序に従いながら、部品や部位の説明、組み立てや基本的な動作の説明を繰り返しながら進め、説明が細部に及ぶ場合は、それに見合った図面を追加しながら進めて行く。
また、実施の形態１にて説明したところは、適宜簡略化或いは省略する。
【０１２３】
回転ブラシ支持具５１１は、実施の形態１で示したものと基本的には同じだが、実施の形態２のものは、回転ブラシ駆動部装着部２８７の対面に、左右の吸込口カバー５２１ａ、５２１ｂを開閉させる動力を伝達するベルト又はワイヤー５３１を通すためのベルト穴５１２が開口している。
【０１２４】
長短一対からなる左右の吸込口カバー５２１ａ、５２１ｂも、実施の形態１で示したものと基本的には同じだが、実施の形態２のものは、左右の回転ブラシ駆動部３６１ａ、３６１ｂ側となる端面に、前記のベルト又はワイヤー５３１を巻き付けるための吸込口カバー滑車部５２２が形成されている。
【０１２５】
左右の吸込口カバー駆動部５４１ａ，５４１ｂは、前記のベルト又はワイヤー５３１を巻き付けるための吸込口カバー駆動部滑車５４２と、その吸込口カバー駆動部滑車５４２の駆動源である吸込口カバー電動機５４３と、その吸込口カバー電動機５４３の回転数及びトルクを、左右の吸込口カバー５２１ａ、５２１ｂの回動に適した回転数及びトルクに変速するための多種の吸込口カバー歯車（図示せず）と、多種の吸込口カバー歯車（図示せず）を回転可能に支持するための吸込口カバー歯車軸（図示せず）と、吸込口カバー歯車（図示せず）と吸込口カバー駆動部滑車５４２とをつなぐ吸込口カバー動力伝達軸５４４と、先に列記した歯車や軸等を納める吸込口カバー歯車室５４５とから構成されている。
なお、実施の形態１のものと同様、左右の吸込口カバー５２１ａ、５２１ｂは軽量であるため、回動させるのにさほど大きな力は必要としない。よって、実施の形態１の中で説明してきた各駆動部１６２、２４２、３６１に比べ、小型で比較的単純な構造をしている。
【０１２６】
吸込口カバー位置センサー５５１は、左右の吸込口カバー５２１ａ、５２１ｂの主に開放の度合いを検知、出力するもので、実施の形態２においては、吸込口カバー動力伝達軸５４４の回転数及び回転方向を監視している。
なお、閉塞及び開放状態の検知、出力は、吸込口カバー電動機５４３の電流変化、即ち、回動状態から停止状態に移行するときの電流の急激な上昇を制御部で監視している。
【０１２７】
ここで、左右の吸込口カバー駆動部５４１ａ，５４１ｂを含む吸込具組立５０１の組み立てと、基本的な動作について説明する。
まずは、左右の吸込口カバー５２１ａ、５２１ｂに形成された吸込口カバー滑車部５２２へ、ベルト又はワイヤー５３１の一端を巻き付け、次いで、その状態のものを、左右の吸込口カバー駆動部５４１ａ，５４１ｂが装着された回転ブラシ支持具５１１の吸込口カバー装着部２９３ａ、２９３ｂへ、吸込口カバー装着穴３５３を挿入しながら納めていく。
なお、この時同時に、ベルト又はワイヤー５３１の他端を、回転ブラシ支持具５１１形成されたベルト穴５１２へ通し入れる。
次いで、ベルト穴５１２から出たベルト又はワイヤー５３１の他端を、左右の吸込口カバー駆動部５４１ａ，５４１ｂに装着された吸込口カバー駆動部滑車５４２へ、巻き付けることで完了する。
この段階で、吸込口カバー電動機５４３へ電力を供給すれば、左右の吸込口カバー５２１ａ、５２１ｂは回動し、更に、吸込口カバー位置センサー５５１へ通電すれば、回動状況を出力する。
【０１２８】
これ以降、吸込具組立５０１に装着された左右の吸込口カバー５２１ａ、５２１ｂの、最終的な動作について説明して行く。
実施の形態２に示す自走式掃除機１は、左右の吸込口カバー５２１ａ、５２１ｂの開閉を、旋回台１３１の回動、即ち、直角部２ｃを先頭に走行する通常走行と、右側面２ｅ及び左側面２ｆを壁面に沿わして走行する壁際走行との切り替えを利用した実施の形態１のものと異なり、専用の機構としたので、制御部が発する命令に従い、いかなる状態においても左右の吸込口カバー５２１ａ、５２１ｂの開閉が行える。
また、その機構を、左右の吸込口カバー駆動部５４１ａ，５４１ｂに分けたことで、それぞれ個々に開閉が行える。
【０１２９】
従って、自走式掃除機１が通常走行状態であったとしても、例えば、壁面に対する自走式掃除機１の右側面２ｅの距離や平行の度合いが、右吸込口カバー５２１ａを開放するにふさわしい状態になったと制御部が判断すれば、右吸込口カバー５２１ａのみ開放することができる。
また、例えば、自走式掃除機１が通常走行状態で、家屋の壁面同士が交わる部分、即ち、部屋の隅に向かって走行している時に、壁面に対する自走式掃除機１の左右の側面２ｅ、２ｆの距離や平行の度合いが、左右の吸込口カバー５２１ａ、５２１ｂを開放するにふさわしい状態になったと制御部が判断すれば、左右の吸込口カバー５２１ａ、５２１ｂを同時に開放し、部屋の隅を一気に掃除することもできる。
なお、先のような状態で、距離や平行の度合いのバランスが左右で違っているのであれば、左右の吸込口カバー５２１ａ、５２１ｂの時期をずらして開放することもできる。
【０１３０】
更に、例えば、自走式掃除機１が右壁際走行状態であった場合には、壁側の右吸込口カバー５２１ａのみを開放して走行を続け、左側面近接センサー４７４ｂが壁面を検知し、左吸込口カバー５２１ｂを開放するにふさわしい状態になったと制御部が判断すれば、左吸込口カバー５２１ｂを開放することもできる。
【符号の説明】
【０１３１】
１  自走式掃除機、２  外かく、２ａ  円弧部、２ｂ  直線部、２ｃ  直角部、２ｄ  円弧面、２ｅ  右側面、２ｆ  左側面、１１  下外かく、１２  下外かく吸込具組立配置部、１３  下外かく傾斜面、１４  旋回台装着部、１５  ころ軌道部、１６  ころ走路、１７  下外かく集塵部組立装着部、１８  下外かく蓄電池装着部、１９  旋回台駆動部用ねじボス、２０  旋回台駆動歯車支持具係合爪、２１  旋回台駆動歯車支持具受け部、２２  旋回台駆動歯車隔壁、２３  旋回台駆動歯車支持具係合突起、２４  下外かく吸込具組立配置部隔壁、２５  下外かく集塵部組立装着部隔壁、２６  下外かく蓄電池装着部隔壁、２７  ワイヤー溝、２８  持ち手部、２９  旋回台回動規制部、３０  仕切り板用ねじボス、３１  外かくねじ穴、３２  下外かく段差検出センサー装着部、３３  後方近接センサー装着部、４１  中外かく、４２  吸込口配置部、４３  後方近接センサー開口部、５１  上外かく、５２  近接センサー開口部、５３  上外かく回転ブラシ電動機隔壁、５４  集塵部カバー装着部、５５  集塵部組立装着開口部、５６  上外かく集塵部組立装着部隔壁、５７  上外かく集塵部カバー節度部、５８  集塵部カバー開口部、５９  上外かく集塵部カバー軸受、６０  上外かく集塵部カバー装着部隔壁、６１  上外かく蓄電池装着部隔壁、６２  外かく用ねじボス、７１  集塵部カバー、７２  集塵部カバー軸部、７３  集塵部カバー軸、７４  集塵部カバー節度部、７５  集塵部カバー手掛け部、８１  仕切り板、８２  周囲リブ、８３  吸込具組立装着穴、８４  回転ブラシ電動機開口部、８５  仕切り板回転ブラシ電動機隔壁、８６  仕切り板吸込具組立ばね受け部、８７  仕切り板吸込具組立配置部、８８  センサー装着部、８９  仕切り板集塵部組立装着部、９０  仕切り板集塵部組立装着部隔壁、９１  仕切り板自在連結管開口部、９２  仕切り板吸込具組立配置部隔壁、９３  仕切り板通気口部、９４  送風機用ねじボス、９５  仕切り板集塵部カバー軸受、９６  仕切り板集塵部カバー装着部隔壁、９７  仕切り板蓄電池装着部、９８  仕切り板蓄電池装着部隔壁、９９  旋回台駆動部配置部、１００  仕切り板後方近接センサー押え部、１０１  基板装着部、１０２  仕切り板ねじ穴、１０３  仕切り板外かく用ねじ穴、１１１  集塵部パッキン、１２１  蓄電池、１３１  旋回台、１３２  ころ保持部、１３３  環状リブ、１３４  走行輪開口部、１３５  走行輪開口部隔壁、１３６  走行輪支持具用ねじボス、１３７  走行輪支持具板ばね受け部、１３８  走行輪支持具受け部、１３９  旋回台脱落防止具用ねじボス、１４０  旋回台脱落防止具板ばね受け部、１４１  走行輪支持具係合穴、１４２  旋回台脱落防止具係合穴、１５１  ころ、１６１  走行輪組立、１６２ａ  右走行輪駆動部、１６２ｂ  左走行輪駆動部、１６３  走行輪、１６４  走行輪電動機、１６５  走行輪駆動小歯車、１６６  走行輪被動歯車、１６７  走行輪最終段歯車、１６８  走行輪歯車軸、１６９  走行輪動力伝達軸、１７０  走行輪軸受、１７１ａ  右走行輪歯車室、１７１ｂ  左走行輪歯車室、１７２  走行輪歯車室支持軸穴、１７３  走行輪歯車室ばね受け部、１７４  走行輪位置センサー遮蔽部、１８１  走行輪支持具、１８２  走行輪駆動部装着部、１８３  走行輪支持具支持軸穴、１８４  走行輪支持具ねじ穴、１８５  走行輪位置センサー装着部、１８６  走行輪支持具旋回台脱落防止部、１８７  セクタ歯車、１８８  旋回台位置センサー遮蔽板装着部リブ、１８９  旋回台位置センサー遮蔽板軸穴、１９０  走行輪支持具ばね受け部、１９１  走行輪支持具板ばね、１９２  走行輪支持具係合突起、２０１  走行輪回転センサー、２０２  走行輪位置センサー、２０３  旋回台位置センサー遮蔽板、２０４  旋回台位置センサー遮蔽板軸、２０５  旋回台位置センサー遮蔽板ばね、２０６  走行輪駆動部ばね、２０７  走行輪駆動部支持軸、
２２１  旋回台脱落防止具、２２２  駆動輪カバー部、２２３  駆動輪カバー下側開口部、２２４  駆動輪カバー後側開口部、２２５  旋回台脱落防止部、２２６  旋回台脱落防止具板ばね、２２７  旋回台脱落防止具ねじ穴、２２８  ワイヤー掛け具突起受け部、２２９  旋回台脱落防止具係合突起、
２４１  旋回台駆動部組立、２４２  旋回台駆動部、２４３  旋回台駆動歯車、２４４  旋回台電動機、２４５  旋回台駆動小歯車、２４６  旋回台被動歯車、２４７  旋回台最終段歯車、２４８  旋回台歯車軸、２４９  旋回台駆動歯車動力伝達軸、２５０  旋回台軸受、２５１  旋回台歯車室、２５２  旋回台駆動部ねじ穴、２６１  旋回台駆動歯車支持具、２６２  旋回台駆動歯車支持具円弧部、２６３  旋回台軸受装着部、２６４  旋回台駆動歯車支持具係合穴、２６５  旋回台駆動歯車支持具後方近接センサー押え部、２６６  旋回台位置センサー装着部、２７１  旋回台位置センサー、２８１  吸込具組立、２８２  回転ブラシ支持具、２８３ａ  右回転ブラシ収容部、２８３ｂ  左回転ブラシ収容部、２８４ａ  右吸込口、２８４ｂ  左吸込口、２８５  くし歯、８６  塵埃吸込口、２８７  回転ブラシ駆動部装着部、２８８  回転ブラシ駆動部用ねじボス、２８９  回転ブラシ支持具吸込口カバー規制部、２９０  回転ブラシ支持具吸込口カバーばね受け部、２９１  回転ブラシ動力伝達軸穴、２９２  ワイヤー穴、２９３ａ  右吸込口カバー装着部、２９３ｂ  左吸込口カバー装着部、２９４  隅用回転ブラシ穴、２９５  塵埃ダクト装着部、２９６  塵埃ダクト装着部隔壁、２９７  塵埃ダクト用ねじボス、２９８  回転ブラシ固定具支持軸、２９９  回転ブラシ支持具遮蔽壁、３００  吸込具組立装着ボス、３０１  底板、３０２  固定植毛装着部、３０３  回転ブラシ腕部装着部、３０４  回転ブラシ持ち手部装着部、３０５  回転ブラシ支持具段差検出センサー装着部、３２１  回転ブラシ固定具、３２２  回転ブラシ固定具穴、３２３  回転ブラシ固定具係合爪、３２４  回転ブラシ固定具腕部、３３１  塵埃ダクト、３３２  塵埃ダクトねじ穴、３３３  塵埃ダクト自在連結管開口部、３３４  塵埃ダクト傾斜面、３５  塵埃ダクト吸込具組立ばね受け部、３３６  回転ブラシ歯車室係合爪、３４１  自在連結管、３４２  自在連結管接続口、３４３  シールリップ、３５１ａ  右吸込口カバー、３５１ｂ  左吸込口カバー、３５２  吸込口カバー部、３５３  吸込口カバー装着穴、３５４  吸込口カバー規制部、３５５  吸込口カバーばね受け部、３６１ａ  右回転ブラシ駆動部、３６１ｂ  左回転ブラシ駆動部、３６２  回転ブラシ駆動部継ぎ手、３６３  回転ブラシ電動機、３６４  回転ブラシ駆動小歯車、３６５  回転ブラシ被動歯車、３６６  回転ブラシ最終段歯車、３６７  回転ブラシ歯車軸、３６８  回転ブラシ動力伝達軸、３６９  回転ブラシ軸受、３７０ａ  右回転ブラシ歯車室、３７０ｂ  左回転ブラシ歯車室、３７１  回転ブラシ動力伝達軸スリーブ、３７２  回転ブラシ駆動部ねじ穴、３７３  回転ブラシ歯車室係合段差、３８１ａ  右回転ブラシ組立、３８１ｂ  左回転ブラシ組立、３８２ａ  長尺植毛支持具、◇◇２ｂ  短尺植毛支持具、３８３  植毛装着溝、３８４  回転ブラシ継ぎ手、３８５ａ  短尺回転ブラシ支持軸、３８５ｂ  長尺回転ブラシ支持軸、３８６  回転ブラシ支持軸圧入部、３８７ａ  右回転ブラシ軸受支持具、３８７ｂ  左回転ブラシ軸受支持具３８８  回転ブラシ軸受装着部、３８９  回転ブラシ持ち手部、３９０  回転ブラシ腕部、４０１  隅用回転ブラシ、４０２  隅用植毛支持具、４０３  回転ブラシ支持軸��、４０４  隅用植毛、４１１  ワイヤー、４１２  ワイヤー掛け具、４１３  ワイヤー掛け部、４１４  ワイヤー掛け具突起、４２１  固定植毛、４２２  吸込口カバーばね、４２３  吸込具組立ばね、４３１  送風機、４３２  送風機吸気口部、４３３  送風機排気口部、４３４  送風機ねじ穴、  ４４１  送風機パッキン、４５１  集塵部組立、４５２  集塵部ケース、４５３  集塵部入口部、４５４  集塵部蓋軸穴、４５５  集塵部吸気口部、４５６  塵埃溜め部、４５７  塵埃搬送路、４５８  集塵部フィルター、４５９  集塵部蓋、４６０  集塵部蓋軸、４６１  集塵部蓋パッキン、４７１  段差検出センサー、４７２  後方近接センサー、４７３ａ  右方向近接センサー、４７３ｂ  左方向近接センサー、４７４ａ  右側面近接センサー、４７４ｂ  左側面近接センサー、４８１  ねじ、４８２  座金。
５０１  吸込具組立、５１１  回転ブラシ支持具、５１２  ベルト穴、５２１ａ  右吸込口カバー、５２１ｂ  左吸込口カバー、５２２  吸込口カバー滑車部、５３１  ベルト又はワイヤー、５４１ａ  右吸込口カバー駆動部、５４１ｂ  左吸込口カバー駆動部、５４２  吸込口カバー駆動部滑車、５４３  吸込口カバー電動機、５４４  吸込口カバー動力伝達軸、５４５ａ  右吸込口カバー歯車室、５４５ｂ  左吸込口カバー歯車室、５５１  吸込口カバー位置センサー。
【図１】
2014166207.tif 000003
【図２】
2014166207.tif 000004
【図３】
2014166207.tif 000005
【図４】
2014166207.tif 000006
【図５】
2014166207.tif 000007
【図６】
2014166207.tif 000008
【図７】
2014166207.tif 000009
【図８】
2014166207.tif 000010
【図９】
2014166207.tif 000011
【図１０】
2014166207.tif 000012
【図１１】
2014166207.tif 000013
【図１２】
2014166207.tif 000014
【図１３】
2014166207.tif 000015
【図１４】
2014166207.tif 000016
【図１５】
2014166207.tif 000017
【図１６】
2014166207.tif 000018
【図１７】
2014166207.tif 000019
【図１８】
2014166207.tif 000020
【図１９】
2014166207.tif 000021
【図２０】
2014166207.tif 000022
【図２１】
2014166207.tif 000023
【図２２】
2014166207.tif 000024
【図２３】
2014166207.tif 000025
【図２４】
2014166207.tif 000026
【図２５】
2014166207.tif 000027
【図２６】
2014166207.tif 000028
【図２７】
2014166207.tif 000029
【図２８】
2014166207.tif 000030
【図２９】
2014166207.tif 000031
【図３０】
2014166207.tif 000032
【図３１】
2014166207.tif 000033
【図３２】
2014166207.tif 000034
【図３３】
2014166207.tif 000035
【図３４】
2014166207.tif 000036
【図３５】
2014166207.tif 000037
【図３６】
2014166207.tif 000038
【図３７】
2014166207.tif 000039
【図３８】
2014166207.tif 000040
【図３９】
2014166207.tif 000041
【図４０】
2014166207.tif 000042
【図４１】
2014166207.tif 000043
【図４２】
2014166207.tif 000044
【図４３】
2014166207.tif 000045
【図４４】
2014166207.tif 000046
【図４５】
2014166207.tif 000047
【図４６】
2014166207.tif 000048
【図４７】
2014166207.tif 000049
【図４８】
2014166207.tif 000050